(57)【要約】【課題】本発明は、管理者が各装置の情報を容易に管理し得るストレージシステムを提案する。【解決手段】外部操作に基づいて、ホスト装置、ホスト管理装置、ストレージ装置及びストレージ管理装置の接続関係、ホスト装置ごとのプログラムの格納関係並びにプログラムごとのデータを保存する保存期間を取得する取得部と、取得部により取得された接続関係及び格納関係を表示画面に表示させると共に、接続関係及び格納関係と同画面に、プログラムごとに保存期間を表示させる表示制御部とを備えるようにした。【選択図】図２４
2008140221.tif 000002
【特許請求の範囲】
【請求項１】
所定のプログラムを格納するホスト装置と、
前記ホスト装置を管理するホスト管理装置と、
前記プログラムが取り扱うデータを格納するストレージ装置と、
前記ストレージ装置を管理するストレージ管理装置と、
前記ホスト装置、前記ホスト管理装置、前記ストレージ装置及び前記ストレージ管理装置を管理する管理装置と
を備え、
前記管理装置は、
外部操作に基づいて、前記ホスト装置、前記ホスト管理装置、前記ストレージ装置及び前記ストレージ管理装置の接続関係、前記ホスト装置ごとの前記プログラムの格納関係並びに前記プログラムごとの前記データを保存する保存期間を取得する取得部と、
前記取得部により取得された前記接続関係及び前記格納関係を表示画面に表示させると共に、前記接続関係及び前記格納関係と同画面に、前記プログラムごとに前記保存期間を表示させる表示制御部と
を備えることを特徴とするストレージシステム。
【請求項２】
前記管理装置の前記取得部は、
外部操作に基づいて、前記データを保存しておくべき期間が記載されている規制法律及び前記データを保存しておくべき規制保存期間を取得し、
前記管理装置は、
外部操作に基づいて、前記取得部により取得された前記規制法律の前記規制保存期間に前記保存期間を変更すると共に、前記取得部により取得された前記保存期間を前記ホスト装置、前記ホスト管理装置、前記ストレージ装置及び又は前記ストレージ管理装置に変更指示する変更部
を備えることを特徴とする請求項１に記載のストレージシステム。
【請求項３】
前記表示制御部は、
前記変更部によって前記規制保存期間に前記保存期間を変更する際に、前記取得部により取得したすべての前記プログラムを選択可能に表示させ、
前記変更部は、
前記表示制御部により表示させたすべての前記プログラムのうち所定の前記プログラムが、外部操作に基づいて選択されたときに、前記規制保存期間に前記保存期間を変更する
ことを特徴とする請求項２に記載のストレージシステム。
【請求項４】
前記表示制御部は、
前記変更部によって前記規制保存期間に前記保存期間を変更する際に、前記取得部により取得した前記プログラムのうち前記保存期間が未設定の前記プログラムを選択可能に表示させ、
前記変更部は、
前記表示制御部により表示させた前記保存期間が未設定の前記プログラムのうち所定の前記プログラムが、外部操作に基づいて選択されたときに、前記規制保存期間に前記保存期間を変更する
ことを特徴とする請求項２に記載のストレージシステム。
【請求項５】
前記変更部は、
外部操作に基づいて、前記取得部により取得された前記プログラムのうち前記保存期間が未設定の前記プログラムを、当該プログラムのデータタイプに応じた前記規制法律の前記規制保存期間に変更する
ことを特徴とする請求項２に記載のストレージシステム。
【請求項６】
前記表示制御部は、
外部操作に基づいて、前記ホスト装置、前記ホスト管理装置、前記ストレージ装置及び又は前記ストレージ管理装置のうちの所定の接続関係及び又は前記ホスト装置ごとの前記プログラムのうちの所定の格納関係を強調表示させる
ことを特徴とする請求項１に記載のストレージシステム。
【請求項７】
前記表示制御部は、
同一のデータタイプの前記プログラムの前記保存期間のみを表示させる
ことを特徴とする請求項１に記載のストレージシステム。
【請求項８】
前記表示制御部は、
前記プログラムの前記保存期間が当該プログラムのデータタイプに応じた前記規制法律の前記規制保存期間と相違するときに、当該プログラムの前記保存期間を強調表示する
ことを特徴とする請求項１に記載のストレージシステム。
【請求項９】
外部操作に基づいて、所定のプログラムを格納するホスト装置、前記ホスト装置を管理するホスト管理装置、前記プログラムが取り扱うデータを格納するストレージ装置及び前記ストレージ装置を管理するストレージ管理装置の接続関係、前記ホスト装置ごとの前記プログラムの格納関係並びに前記プログラムごとの前記データを保存する保存期間をプロセッサが取得する第１のステップと、
前記第１のステップにおいて取得した前記接続関係及び前記格納関係を表示画面に表示させると共に、前記接続関係及び前記格納関係と同画面に、前記プログラムごとに前記保存期間を前記プロセッサが表示させる第２のステップと
を備えることを特徴とする管理方法。
【請求項１０】
前記第１のステップでは、
外部操作に基づいて、前記データを保存しておくべき期間が記載されている規制法律及び前記データを保存しておくべき規制保存期間を取得し、
外部操作に基づいて、前記第１のステップにおいて取得した前記規制法律の前記規制保存期間に前記保存期間を変更すると共に、前記第１のステップにおいて取得した前記保存期間を前記ホスト装置、前記ホスト管理装置、前記ストレージ装置及び又は前記ストレージ管理装置に変更指示する第３のステップ
を備えることを特徴とする請求項９に記載の管理方法。
【請求項１１】
前記第３のステップでは、
前記規制保存期間に前記保存期間を変更する際に、前記第１のステップにおいて取得したすべての前記プログラムを選択可能に表示させ、前記第２のステップにおいて表示させたすべての前記プログラムのうち所定の前記プログラムが、外部操作に基づいて選択されたときに、前記規制保存期間に前記保存期間を変更する
ことを特徴とする請求項１０に記載の管理方法。
【請求項１２】
前記第３のステップでは、
前記規制保存期間に前記保存期間を変更する際に、前記第１のステップにおいて取得した前記プログラムのうち前記保存期間が未設定の前記プログラムを選択可能に表示させ、前記第２のステップにおいて表示させた前記保存期間が未設定の前記プログラムのうち所定の前記プログラムが、外部操作に基づいて選択されたときに、前記規制保存期間に前記保存期間を変更する
ことを特徴とする請求項１０に記載の管理方法。
【請求項１３】
前記第３のステップでは、
外部操作に基づいて、前記第１のステップにおいて取得した前記プログラムのうち前記保存期間が未設定の前記プログラムを、当該プログラムのデータタイプに応じた前記規制法律の前記規制保存期間に変更する
ことを特徴とする請求項１０に記載の管理方法。
【請求項１４】
前記第２のステップでは、
外部操作に基づいて、前記ホスト装置、前記ホスト管理装置、前記ストレージ装置及び又は前記ストレージ管理装置のうちの所定の接続関係及び又は前記ホスト装置ごとの前記プログラムのうちの所定の格納関係を強調表示させる
ことを特徴とする請求項９に記載の管理方法。
【請求項１５】
前記第２のステップでは、
同一のデータタイプの前記プログラムの前記保存期間のみを表示させる
ことを特徴とする請求項９に記載の管理方法。
【請求項１６】
前記第２のステップでは、
前記プログラムの前記保存期間が当該プログラムのデータタイプに応じた前記規制法律の前記規制保存期間と相違するときに、当該プログラムの前記保存期間を強調表示させる
ことを特徴とする請求項９に記載の管理方法。
【請求項１７】
複数の装置を管理する管理装置であって、
前記複数の装置の接続関係、前記装置のうち所定の前記装置に格納されている所定のプログラムの格納関係及び前記プログラムごとの前記データを保存する保存期間を取得する取得部と、
前記取得部により取得された前記接続関係及び前記格納関係を表示画面に表示させると共に、前記接続関係及び前記格納関係と同画面に、前記プログラムごとに前記保存期間を表示させる表示制御部と
を備えることを特徴とする管理装置。
【発明の詳細な説明】
【技術分野】
【０００１】
本発明は、ストレージシステム及び管理方法並びに管理装置に関し、例えば、複数のホスト装置、ストレージ装置及びこれらを管理する管理装置が接続されているストレージシステムに適用して好適なものである。
【背景技術】
【０００２】
従来、ホスト装置及びストレージ装置をネットワークにより接続し、ホスト装置で処理されるデータを、ネットワークをそれぞれ介して送受信し、当該データをストレージ装置内のハードディスクに格納するコンピュータシステムが実用化されている。
【０００３】
近年では、コンプライアンス（法令遵守）等の観点から、使用頻度の少ないデータであっても、法律により規定された期間保存しておかなければならないため、このような使用頻度の少ないデータを他のストレージ装置に移動して保存するといったことがなされている。
【０００４】
このようなコンピュータシステムとして、例えば、特許文献１では、それぞれ少なくとも１つ以上のボリュームを有する複数のストレージ装置と、各ストレージ装置の有するボリュームを仮想的に一元管理すると共に、各ボリュームの属性情報を管理して、予め設定された複数のポリシーとボリューム属性情報とに基づいてそれぞれ生成される複数のストレージ階層間で、指定された移動元ボリュームを指定されたストレージ階層に再配置するストレージシステムが提案されている。
【０００５】
また、例えば、特許文献２では、ホスト装置から送信されたデータをその先頭から順番に、保存期間が対応づけられたボリュームの空き領域に書き込み、データが書き込まれた領域を書込み禁止領域としてストレージシステムが提案されている。
【特許文献１】特開２００６−０９９７４８号公報
【特許文献２】特開２００６−２１５９５４号公報
【発明の開示】
【発明が解決しようとする課題】
【０００６】
しかしながら、上述のコンピュータシステムにおいては、ホスト装置におけるアプリケーションが取り扱うデータを保存すべき保存年数をそれぞれの装置において手動で入力していた。従って、例えば、ホスト装置のアプリケーションのデータが格納されているストレージ装置を確認する場合や、ホスト装置におけるアプリケーションのデータを保存すべき保存年数を確認する場合には、当該コンピュータシステムの管理者がそれぞれの装置において接続状態や年数情報等の設定情報を確認しなければならず、管理者の管理作業が増大するという問題がある。
【０００７】
そして、多数のホスト装置及びストレージ装置やその他の装置が接続されることにより上述のコンピュータシステムが大規模化するに従って、管理者の管理作業がますます増大することとなる。
【０００８】
本発明は以上の点を考慮してなされたもので、管理者が各装置の情報を容易に管理し得るストレージシステム及び管理方法並びに管理装置を提案するものである。
【課題を解決するための手段】
【０００９】
かかる課題を解決するために本発明においては、所定のプログラムを格納するホスト装置と、前記ホスト装置を管理するホスト管理装置と、前記プログラムが取り扱うデータを格納するストレージ装置と、前記ストレージ装置を管理するストレージ管理装置と、前記ホスト装置、前記ホスト管理装置、前記ストレージ装置及び前記ストレージ管理装置を管理する管理装置とを備え、前記管理装置は、外部操作に基づいて、前記ホスト装置、前記ホスト管理装置、前記ストレージ装置及び前記ストレージ管理装置の接続関係、前記ホスト装置ごとの前記プログラムの格納関係並びに前記プログラムごとの前記データを保存する保存期間を取得する取得部と、前記取得部により取得された前記接続関係及び前記格納関係を表示画面に表示させると共に、前記接続関係及び前記格納関係と同画面に、前記プログラムごとに前記保存期間を表示させる表示制御部とを備えるようにした。
【００１０】
従って、管理者が前記ホスト装置、前記ホスト管理装置、前記ストレージ装置及び又は前記ストレージ管理装置の各装置において接続関係や、格納関係、保存期間の情報を確認しなければならないといった管理作業の増大を未然かつ有効に防止して、上述の接続関係、格納関係、保存期間の情報を簡易に確認することができる。
【００１１】
また、本発明においては、外部操作に基づいて、所定のプログラムを格納するホスト装置、前記ホスト装置を管理するホスト管理装置、前記プログラムが取り扱うデータを格納するストレージ装置及び前記ストレージ装置を管理するストレージ管理装置の接続関係、前記ホスト装置ごとの前記プログラムの格納関係並びに前記プログラムごとの前記データを保存する保存期間をプロセッサが取得する第１のステップと、前記第１のステップにおいて取得した前記接続関係及び前記格納関係を表示画面に表示させると共に、前記接続関係及び前記格納関係と同画面に、前記プログラムごとに前記保存期間を前記プロセッサが表示させる第２のステップとを備えるようにした。
【００１２】
従って、管理者が前記ホスト装置、前記ホスト管理装置、前記ストレージ装置及び又は前記ストレージ管理装置の各装置において接続関係や、格納関係、保存期間の情報を確認しなければならないといった管理作業の増大を未然かつ有効に防止して、上述の接続関係、格納関係、保存期間の情報を簡易に確認することができる。
【００１３】
さらに、本発明においては、複数の装置を管理する管理装置であって、前記複数の装置の接続関係、前記装置のうち所定の前記装置に格納されている所定のプログラムの格納関係及び前記プログラムごとの前記データを保存する保存期間を取得する取得部と、前記取得部により取得された前記接続関係及び前記格納関係を表示画面に表示させると共に、前記接続関係及び前記格納関係と同画面に、前記プログラムごとに前記保存期間を表示させる表示制御部とを備えるようにした。
【００１４】
従って、管理者が各装置において接続関係や、格納関係、保存期間の情報を確認しなければならないといった管理作業の増大を未然かつ有効に防止して、上述の接続関係、格納関係、保存期間の情報を簡易に確認することができる。
【発明の効果】
【００１５】
本発明によれば、外部操作に基づいて、所定のプログラムを格納するホスト装置、前記ホスト装置を管理するホスト管理装置、前記プログラムが取り扱うデータを格納するストレージ装置及び前記ストレージ装置を管理するストレージ管理装置の接続関係、前記ホスト装置ごとの前記プログラムの格納関係並びに前記プログラムごとの前記データを保存する保存期間を取得し、取得した前記接続関係及び前記格納関係を表示画面に表示させると共に、前記接続関係及び前記格納関係と同画面に、前記プログラムごとに前記保存期間を前記プロセッサが表示させることにより、管理者が前記ホスト装置、前記ホスト管理装置、前記ストレージ装置及び又は前記ストレージ管理装置の各装置において接続関係や、格納関係、保存期間の情報を確認しなければならないといった管理作業の増大を未然かつ有効に防止して、上述の接続関係、格納関係、保存期間の情報を簡易に確認することができ、かくして、管理者が各装置の情報を容易に管理し得るストレージシステムを実現できる。
【発明を実施するための最良の形態】
【００１６】
以下図面について、本発明の一実施の形態を詳述する。
【００１７】
（１）本実施の形態におけるストレージシステム及び各装置の構成
図１は、本発明の第１の実施の形態におけるストレージシステム１の構成を示している。ストレージシステム１は、ホスト装置２、アーカイブ装置（ホスト管理装置）３、ストレージ装置４、ストレージ管理装置５及び管理装置６がＬＡＮ（Local Area network）７を介して接続され、ホスト装置２、アーカイブ装置３及びストレージ装置４がＳＡＮ（Storage Area Network）８を介して接続されることにより構成されている。なお、ホスト装置２、アーカイブ装置３及びストレージ装置４については、１つであっても良く、複数であっても良い。
【００１８】
図２は、ホスト装置２の構成の一例を示している。ホスト装置２は、クライアント装置からの要求に基づいて各種処理を実行する装置である。ホスト装置２は、例えば、ＬＡＮ７と接続され、例えばＴＣＰ／ＩＰ（Transmission Control Protocol/Internet Protocol）通信を制御するＬＡＮコントローラ１１、ＳＡＮ８と接続され、例えばファイバチャネル通信を制御するＳＡＮコントローラ１２、キーボード、スイッチやポインティングデバイス、マイクロフォン等の情報入力装置（図示せず）とモニタディスプレイやスピーカ等の情報出力装置（図示せず）とを制御する入出力コントローラ１３、複数のハードディスクドライブ（図示せず）を備えたハードディスクドライブ部１４が接続され、当該ハードディスクドライブ部１４を制御するハードディスクドライブコントローラ１５、当該ホスト装置２全体を制御するＣＰＵ１６及び各種テーブルや各種プログラム等を格納するメモリ１７が、上述の各構成要素と接続され、データ等の転送を制御するブリッジチップ１８を介して接続されることにより構成されている。
【００１９】
ホスト装置２のメモリ１７には、アプリケーション２３（後述）が取り扱うデータのタイプをアプリケーション２３ごとに管理するアプリケーション−データタイプ管理テーブル２１、当該ホスト装置２全体を制御する制御プログラム２２並びに例えばメール機能、帳簿機能等の各種機能の処理を実行する１又は複数のアプリケーション（ＡＰ）２３その他のテーブル及びプログラム（図示せず）が格納されている。なお、アプリケーション２３については、１つであっても良く、複数であっても良い。また、データタイプ管理テーブル２１の詳細な構成については、後述する。さらに、このホスト装置２のハードウェア構成は、この他種々の形態に構成された汎用の電子計算機（パーソナルコンピュータ）やワークステーション、メインフレームコンピュータなどで実現し得るものである。
【００２０】
図３は、アーカイブ装置３の構成の一例を示している。アーカイブ装置３は、アプリケーション２３が取り扱うデータをアーカイブしてＷＯＲＭ（Write Once Read Many）機能を有するストレージ装置４の論理ボリューム（後述）に移動するタイミングや、アプリケーション２３が取り扱うデータをＷＯＲＭ機能を有するストレージ装置４の論理ボリューム（後述）に保存しておく保存年数の設定等の処理を実行する装置である。この場合、アーカイブとは、複数のデータを１つのデータにまとめることをいい、その際データを圧縮してまとめるようにしても良い。また、ＷＯＲＭ機能とは、一度データを論理ボリューム（後述）に書き込んだら、二度と消去や変更をできないようにする機能をいう。
【００２１】
なお、本実施の形態においては、アーカイブ装置３は種々の形態に構成されたパーソナルコンピュータやワークステーションなどで実現し得るものであるが、説明の便宜上、メモリ３７に格納されている各種プログラムや情報等が異なる点を除いて、ホスト装置２と同様に構成する。すなわち、アーカイブ装置３は、例えば、ＬＡＮコントローラ３１、ＳＡＮコントローラ３２、入出力コントローラ３３、ハードディスクドライブ部３４が接続されたハードディスクドライブコントローラ３５、ＣＰＵ３６及びメモリ３７が、ブリッジチップ３８を介して接続されることにより構成されている。
【００２２】
アーカイブ装置３のメモリ３７には、アプリケーション２３をホスト装置２ごとに管理するホスト装置−アプリケーション管理テーブル４１、アプリケーション２３が取り扱うデータのアーカイブの設定等をアプリケーション２３ごとに管理するアプリケーション−アーカイブ設定管理テーブル４２並びに当該アーカイブ装置３全体を制御する制御プログラム４３その他のテーブル及びプログラム（図示せず）が格納されている。なお、ホスト装置−アプリケーション管理テーブル４１及びアーカイブ設定管理テーブル４２の詳細な構成については、後述する。
【００２３】
図４は、ストレージ装置４の構成の一例を示している。ストレージ装置４は、アプリケーション２３が取り扱うデータの格納や、格納されたデータの読出し等の処理を実行する装置である。ストレージ装置４は、例えば、データの入出力を制御するコントロール部５０、データを格納する複数のディスクデバイス６１からなる記憶デバイス部６０及びストレージ装置４を保守・運用する保守端末７０から構成されている。
【００２４】
コントロール部５０は、複数のチャネルアダプタ５１、接続部５２、共有メモリ５３、キャッシュメモリ５４及び複数のディスクアダプタ５５を備えて構成されている。
【００２５】
各チャネルアダプタ５１は、それぞれマイクロプロセッサ、メモリ及び通信インタフェース等を備えたマイクロコンピュータシステムとして構成されており、それぞれＳＡＮ８や他のストレージ装置４等に接続するためのポートを有している。各チャネルアダプタ５１のポートには、それぞれを識別するためのネットワークアドレス（例えば、ＩＰアドレスやＷＷＮ）が割り当てられており、これにより各チャネルアダプタ５１がそれぞれ個別にＮＡＳ（Network Attached Storage）として振る舞うことができるようになされている。また、チャネルアダプタ５１は、ホスト装置２からＬＡＮ７、保守端末７０及び内部ＬＡＮ７１を介して送信される各種コマンドを解釈して対応する処理を実行する。
【００２６】
接続部５２は、チャネルアダプタ５１、共有メモリ５３、キャッシュメモリ５４及びディスクアダプタ５５と接続されている。チャネルアダプタ５１、共有メモリ５３、キャッシュメモリ５４及びディスクアダプタ５５間でのデータやコマンドの授受は、この接続部５２を介して行われる。接続部５２は、例えば、高速スイッチングによりデータ伝送を行う超高速クロスバススイッチなどのスイッチ等から構成されている。
【００２７】
共有メモリ１３及びキャッシュメモリ１４は、チャネルアダプタ５１及びディスクアダプタ５５により共有される記憶メモリである。共有メモリ５３には、図５に示すように、アプリケーション２３が取り扱うデータのＷＯＲＭの設定をアプリケーション２３ごとに管理するアプリケーション−ＷＯＲＭ設定管理テーブル８１並びに当該ストレージ装置４全体を制御する制御プログラム８２、その他ストレージ装置４全体の構成に関する種々のシステム構成情報、各種テーブル及び各種プログラムが格納されている。また、共有メモリ１３は、書込み要求や読出し要求等のコマンドを格納するために利用される。また、キャッシュメモリ１４は、主に、ストレージ装置４に入出力する書込み対象や読出し対象のデータを一時的に格納するために利用される。
【００２８】
各ディスクアダプタ５５は、マイクロプロセッサやメモリ等を備えたマイクロコンピュータシステムとして構成され、記憶デバイス部６０内のディスクデバイス６１との通信時におけるプロトコル制御を行うインタフェースとして機能する。これらディスクアダプタ５５は、例えば、ファイバーチャネルケーブルを介して記憶デバイス部６０内の対応するディスクデバイス６１と接続されており、ファイバーチャネルプロトコルに従って、これらディスクデバイス６１との間のデータの授受を行う。
【００２９】
一方、記憶デバイス部６０のディスクデバイス６１としては、例えば、ＳＣＳＩ（Small Computer System Interface）ディスク等の高価なディスク、又はＳＡＴＡ（Serial AT Attachment）ディスクや光ディスク等の安価なディスクが適用される他、ディスクデバイス以外のフラッシュメモリ等の半導体メモリにも適用することもできる。
【００３０】
記憶デバイス部６０の各ディスクデバイス６１は、コントロール部５０によりＲＡＩＤ（Redundant Array of Independent Disks）方式で運用される。１又は複数のディスクデバイス６１により提供される物理的な記憶領域上に、１又は複数の論理的なボリューム（以下、これを論理ボリュームと呼ぶ）が設定される。そしてデータは、この論理ボリューム内に所定大きさのブロック（以下、これを論理ブロックと呼ぶ）単位で格納される。また、１又は複数の論理ボリューム上に、さらに、１又は複数の論理ボリュームが設定されることもある。各論理ボリュームには、それぞれ固有の識別子（以下、これをＬＵＮ（Logical Unit Number）と呼ぶ）が付与される。本実施の形態の場合、データの入出力は、このＬＵＮと、各論理ブロックにそれぞれ付与されるその論理ブロックに固有の番号（ＬＢＡ：Logical Block Address）とを組み合わせたものをアドレスとして、当該アドレスを指定して行われる。
【００３１】
保守端末７０は、ストレージ装置４全体の動作を制御する端末装置であり、例えば、ノート型のパーソナルコンピュータから構成される。保守端末７０は、内部ＬＡＮ５６を介して各チャネルアダプタ５１及び各ディスクアダプタ５５とそれぞれ接続されている。保守端末７０は、ホスト装置２からＬＡＮ７、保守端末７０及び内部ＬＡＮ７１を介して送信される各種コマンドを、内部ＬＡＮ７１を介してチャネルアダプタ５１に送信する。また、管理者は、保守端末７０を用いてシステム構成情報を定義することができ、またこの定義したシステム構成情報を、チャネルアダプタ５１又はディスクアダプタ５５と接続部５２とを経由して、共有メモリ５３に書き込むことができる。
【００３２】
図６は、ストレージ管理装置５の構成の一例を示している。ストレージ管理装置５は、各ストレージ装置４のシステム構成情報や各種設定情報等を一元的に管理する装置である。なお、本実施の形態においては、ストレージ管理装置５は種々の形態に構成されたパーソナルコンピュータやワークステーションなどで実現し得るものであるが、説明の便宜上、メモリ９７に格納されている各種プログラムや情報等が異なる点を除いて、ホスト装置２と同様に構成する。すなわち、ストレージ管理装置５は、例えば、ＬＡＮコントローラ９１、ＳＡＮコントローラ９２、入出力コントローラ９３、ハードディスクドライブ部９４が接続されたハードディスクドライブコントローラ９５、ＣＰＵ９６及びメモリ９７が、ブリッジチップ９８を介して接続されることにより構成されている。
【００３３】
ストレージ管理装置５のメモリ９７には、アプリケーション２３が取り扱うデータのＷＯＲＭの設定をストレージ装置４ごとに管理するストレージ装置−ＷＯＲＭ設定管理テーブル１０１並びにストレージ管理装置５全体を制御する制御プログラム１０２その他のテーブル及びプログラム（図示せず）が格納されている。なお、ストレージ装置−ＷＯＲＭ設定管理テーブル１０１の詳細な構成については、後述する。
【００３４】
図７は、管理装置６の構成の一例を示している。管理装置６は、各ホスト装置２、各アーカイブ装置３、各ストレージ装置４及びストレージ管理装置５のシステム構成情報や各種設定情報等を一元的に管理する装置である。なお、本実施の形態においては、管理装置６は種々の形態に構成されたパーソナルコンピュータやワークステーションなどで実現し得るものであるが、説明の便宜上、メモリ１１７に格納されている各種プログラムや情報等が異なる点を除いて、ホスト装置２と同様に構成する。すなわち、管理装置７は、例えば、ＬＡＮコントローラ１１１、ＳＡＮコントローラ１１２、入出力コントローラ１１３、ハードディスクドライブ部１１４が接続されたハードディスクドライブコントローラ１１５、ＣＰＵ１１６及びメモリ１１７が、ブリッジチップ１１８を介して接続されることにより構成されている。この場合、管理装置６には、入出力コントローラ１１３に接続されている一例として、例えば処理結果等を表示する表示装置１１９が入出力コントローラ１１３に接続されている。
【００３５】
管理装置６のメモリ１１７には、各ホスト装置２、各アーカイブ装置３、各ストレージ装置４及びストレージ管理装置５のＩＰアドレス等を管理するＩＰアドレス管理テーブル１２１、アプリケーション２３等をアーカイブ装置２ごとに管理するアーカイブ装置−アプリケーション管理テーブル１２２、アプリケーション２３が取り扱うデータを保存しておく保存年数が記載されている規制法律等を管理する規制法律管理テーブル１２３、アプリケーション２３が取り扱うデータの保存年数等をアプリケーション２３ごとに管理するアプリケーション属性管理テーブル１２４、アーカイブ装置３と接続するためのパスワード等を管理するアーカイブ装置パスワード管理テーブル１２５、アプリケーション２３が取り扱うデータのデータタイプを管理するデータタイプ管理テーブル１２６、保存年数を変更する際の保存年数等を一時的に格納する変更保存年数一時格納テーブル１２７、変更するデータタイプを一時的に格納する変更データタイプ一時格納テーブル１２８、アプリケーション２３が取り扱うデータを移動する際の移動先のストレージ装置４等を一時的に格納する一時的に格納する移動先ストレージ装置一時格納テーブル１２９、保存年数を手動で変更する際の保存年数等を一時的に格納する手動変更保存年数一時格納テーブル１３０、保存年数を手動で一括変更する際のアプリケーションを一時的に格納する手動変更アプリケーション一時格納テーブル１３１その他のテーブル及びプログラム（図示せず）が格納されている。
【００３６】
なお、ＩＰアドレス管理テーブル１２１、アーカイブ装置−アプリケーション管理テーブル１２２、規制法律情報管理テーブル１２３、アプリケーション属性管理テーブル１２４、アーカイブ装置パスワード管理テーブル１２４、データタイプ管理テーブル１２５、変更保存年数一時格納テーブル１２７、変更データタイプ一時格納テーブル１２８、移動先ストレージ装置一時格納テーブル１２９、手動変更保存年数一時格納テーブル１３０及び手動変更アプリケーション一時格納テーブル１３１の詳細な構成については、後述する。
【００３７】
さらに、管理装置６のメモリ１１７には、トポロジ表示処理プログラム１４１、規制法律追加・変更処理プログラム１４２、保存年数変更処理プログラム１４３、強調表示処理プログラム１４４、同一データタイプ設定情報表示処理プログラム１４５、アプリケーションデータ移動処理プログラム１４６、保存年数変更手動処理プログラム１４７及び相違保存年数強調表示処理プログラム１４８が格納されている。
【００３８】
なお、トポロジ表示処理プログラム１４１、規制法律追加・変更処理プログラム１４２、保存年数変更処理プログラム１４３、強調表示処理プログラム１４４、同一データタイプ設定情報表示処理プログラム１４５、アプリケーションデータ移動処理プログラム１４６、保存年数変更手動処理プログラム１４７及び相違保存年数強調表示処理プログラム１４８の詳細な処理については、後述する。
【００３９】
（２）本実施の形態における各装置が具備する管理情報
（２−１）ホスト装置２が具備する管理情報
図８は、アプリケーション−データタイプ管理テーブル２１の構成の一例を示している。アプリケーション−データタイプ管理テーブル２１は、アプリケーション２３を一意に識別するための識別子であるアプリケーション番号を管理するアプリケーション番号欄２１Ａ及びアプリケーション２３が取り扱うデータのタイプをアプリケーション２３ごとに管理するデータタイプ管理欄２１Ｂから構成されている。例えば、メール機能を実行するアプリケーション２３がホスト装置２のメモリ１７に格納されている場合には、図８のように、「ＡＰ１」のアプリケーション番号がアプリケーション番号欄２１Ａに格納され、「ＡＰ１」に対応するデータタイプ欄２１Ｂに「メールデータ」のデータタイプが格納される。
【００４０】
（２−２）アーカイブ装置３が具備する管理情報
図９は、ホスト装置−アプリケーション管理テーブル４１の構成の一例を示している。ホスト装置−アプリケーション管理テーブル４１は、ホスト装置２を一意に識別するための識別子であるホスト装置番号を管理するホスト装置番号欄４１Ａ及び当該ホスト装置２に格納されているアプリケーション２３のアプリケーション番号を管理するアプリケーション番号４１Ｂから構成されている。例えば、アーカイブ装置３は、当該アーカイブ装置３が管理すべきホスト装置２のアプリケーション２３を収集し、ホスト装置２ごとに管理する。従って、アーカイブ装置３が管理すべき「Ｈ１」のホスト装置２に「ＡＰ１」のアプリケーション２３が格納されている場合には、図９のように、「Ｈ１」がホスト装置番号欄４１Ａに格納され、対応するアプリケーション番号欄４１Ｂに「ＡＰ１」が格納される。
【００４１】
図１０は、アプリケーション−アーカイブ設定管理テーブル４２の構成の一例を示している。アプリケーション−アーカイブ設定管理テーブル４２は、アプリケーション番号格納欄４２Ａ、アプリケーション２３が取り扱うデータにアーカイブが設定されているか否かを管理するアーカイブ設定欄４２Ｂ、アプリケーション２３が取り扱うデータを保存すべき保存年数を管理する保存年数欄４２Ｃ及びストレージ装置４を一意に識別するための識別子であるストレージ装置番号を管理するストレージ装置番号欄４２Ｄから構成されている。この場合、アプリケーション２３が取り扱うデータがアーカイブされて格納されている場合には、アーカイブ設定欄４２Ｂに「１」が格納され、アプリケーション２３が取り扱うデータがアーカイブされずに格納されている場合には、アーカイブ設定欄４２Ｂに「０」が格納される。例えば、「ＡＰ１」のアプリケーション２３が取り扱うデータが「ＳＴ１」のストレージ装置４にアーカイブされて格納され、保存年数が「５年」に設定されている場合には、図１０のように、「ＡＰ１」がアプリケーション番号欄４２Ａに格納され、対応するアーカイブ設定欄４２Ｂに「１」が格納され、対応する保存年数欄４２Ｃに「５年」が格納され、対応するストレージ装置番号４２Ｄに「ＳＴ１」が格納される。
【００４２】
（２−３）ストレージ装置４が具備する管理情報
図１１は、アプリケーション−ＷＯＲＭ設定管理テーブル８１の構成の一例を示している。アプリケーション−ＷＯＲＭ設定管理テーブル８１は、アプリケーション番号格納欄８１Ａ及びアプリケーション２３が取り扱うデータにＷＯＲＭが設定されているか否かを管理するＷＯＲＭ設定欄８１Ｂから構成されている。この場合、アプリケーション２３が取り扱うデータがＷＯＲＭ設定されて格納されている場合には、ＷＯＲＭ設定欄８１Ｂに「１」が格納され、アプリケーション２３が取り扱うデータがＷＯＲＭ設定されずに格納されている場合には、ＷＯＲＭ設定欄８１Ｂに「０」が格納される。例えば、「ＡＰ１」のアプリケーション２３が取り扱うデータがＷＯＲＭ設定されて格納されている場合には、図１１のように、「ＡＰ１」がアプリケーション番号欄８１Ａに格納され、対応するＷＯＲＭ設定欄８１Ｂに「１」が格納される。
【００４３】
（２−４）ストレージ管理装置５が具備する管理情報
図１２は、ストレージ装置−ＷＯＲＭ設定管理テーブル１０１の構成の一例を示している。ストレージ装置−ＷＯＲＭ設定管理テーブル１０１は、ストレージ装置番号１０１Ａ、アプリケーション番号１０１Ｂ及びＷＯＲＭ設定欄１０１Ｃから構成されている。例えば、ストレージ管理装置５は、当該ストレージ管理装置５が管理すべきストレージ装置２のアプリケーション２３の情報を収集し、ホスト装置２ごとに識別して管理する。例えば、「ＳＴ１」のストレージ装置４に「ＡＰ１」のアプリケーション２３が取り扱うデータがＷＯＲＭ設定されて格納されている場合には、図１２のように、「ＳＴ１」がストレージ装置番号１０１Ａに格納され、対応するアプリケーション番号１０１Ｂに「ＡＰ１」が格納され、対応するＷＯＲＭ設定欄１０１Ｃに「１」が格納される。
【００４４】
（２−５）管理装置６が具備する管理情報
図１３は、ＩＰアドレス管理テーブル１２１の構成の一例を示している。ＩＰアドレス管理テーブル１２１は、各ホスト装置２、各アーカイブ装置３、各ストレージ装置４及びストレージ管理装置５のＩＰアドレスを管理するＩＰアドレス欄１２１Ａ並びに各装置に接続するためのユーザＩＤ及びパスワードを管理するユーザＩＤ欄１２１Ｂ及びパスワード欄１２１Ｃから構成されている。例えば、「192.168.xxx.1」のＩＰアドレスのホスト装置２のユーザＩＤが「admin」であり、パスワードが「root」である場合には、図１３のように、「192.168.xxx.1」がＩＰアドレス欄１２１Ａに格納され、対応するユーザＩＤ欄１２１Ｂに「admin」が格納され、対応するパスワード欄１２１Ｃに「root」が格納される。
【００４５】
図１４は、アーカイブ装置−アプリケーション管理テーブル１２２の構成の一例を示している。アーカイブ装置−アプリケーション管理テーブル１２２は、アーカイブ装置３を一意に識別するための識別子であるアーカイブ装置番号を管理するアーカイブ装置番号欄１２１Ａ、アプリケーション番号欄１２１Ｂ、アーカイブ設定欄１２１Ｃ、保存年数欄１２２Ｄ、ストレージ装置番号１２２Ｅ及びデータタイプ欄１２２Ｆから構成されている。例えば、管理装置６は、当該管理装置６が管理すべきホスト装置２のアプリケーション−データタイプ管理テーブル２１及びアーカイブ装置３のアプリケーション−アーカイブ設定管理テーブル４２を収集し、アーカイブ装置３ごとに管理する。従って、管理装置６が管理すべき「ＡＣ１」のアーカイブ装置３に「ＡＰ１」で「メールデータ」のアプリケーション２３が「ＳＴ１」のストレージ装置４にアーカイブされて格納され、保存年数が「５年」に設定されている場合には、図１４のように、「ＡＣ１」がアーカイブ装置番号欄１２１Ａに格納され、対応するアプリケーション番号欄１２１Ｂに「ＡＰ１」が格納され、対応するアーカイブ設定欄１２１Ｃに「１」が格納され、対応する保存年数欄１２１Ｄに「５年」が格納され、対応するストレージ装置番号１２１Ｅに「ＳＴ１」が格納され、対応するデータタイプ欄１２１Ｆに「メールデータ」が格納される。なお、保存年数欄１２２Ｄについては、保存年数が未設定である場合には、例えば、「−」が格納される。
【００４６】
図１５は、規制法律管理テーブル１２３の構成の一例を示している。規制法律管理テーブル１２３は、アプリケーション２３が取り扱うデータを保存しておくべき保存年数が記載されている規制法律を一意に識別するための識別子である規制法律番号を管理する規制法律番号欄１２３Ａ、当該規制法律の規制法律名を管理する規制法律名欄１２３Ｂ及び当該保存年数を管理する保存年数欄１２３Ｃから構成されている。例えば、「電子帳簿保存法」の保存年数が「１０年」であり、これらが１番目に入力された場合には、図１５のように、「１」が規制法律番号欄１２３Ａに格納され、対応する規制法律名欄１２３Ｂに「電子帳簿保存法」が格納され、対応する保存年数欄１２３Ｃに「１０年」が格納される。なお、規制法律管理テーブル１２３の制法律番号欄１２３Ａ、規制法律名欄１２３Ｂ及び保存年数欄１２３Ｃには、初期状態においては、何も格納されていない。
【００４７】
図１６は、アプリケーション属性管理テーブル１２４の構成の一例を示している。アプリケーション属性管理テーブル１２４は、アプリケーション番号欄１２４Ａ、保存年数欄１２４Ｂ、ＷＯＲＭ設定欄１２４Ｃ、アーカイブ設定欄１２４Ｄ、規制法律名設定欄１２４Ｅ及びデータタイプ１２４Ｆから構成されている。例えば、管理装置６は、当該管理装置６が管理すべきホスト装置２のアプリケーション−データタイプ管理テーブル２１、アーカイブ装置３のアプリケーション−アーカイブ設定管理テーブル４２及びストレージ管理装置５のストレージ装置−ＷＯＲＭ設定管理テーブル１０１を収集し、アプリケーション−データタイプ管理テーブル２１、アプリケーション−アーカイブ設定管理テーブル４２、ストレージ装置−ＷＯＲＭ設定管理テーブル１０１、アーカイブ装置−アプリケーション管理テーブル１２２及び規制法律管理テーブル１２３に基づいてアプリケーション属性管理テーブル１２４を作成し、これをアプリケーション２３ごとに管理する。従って、アプリケーション−データタイプ管理テーブル２１のアプリケーション番号欄２１Ａに「ＡＰ１」が格納されている場合には、アプリケーション−データタイプ管理テーブル２１、アプリケーション−アーカイブ設定管理テーブル４２、ストレージ装置−ＷＯＲＭ設定管理テーブル１０１、アーカイブ装置−アプリケーション管理テーブル１２２及び規制法律管理テーブル１２３から「ＡＰ１」に対応する情報が収集され、「ＡＰ１」がアプリケーション番号欄１２４Ａに格納され、対応する保存年数欄１２４Ｂに、対応するアプリケーション−アーカイブ設定管理テーブル４２の保存年数欄４２Ｃである「５年」が格納され、対応するＷＯＲＭ設定欄１２４Ｃに、対応するストレージ装置−ＷＯＲＭ設定管理テーブル１０１のＷＯＲＭ設定欄１０１Ｃである「１」が格納され、対応するアーカイブ設定欄１２４Ｄに、対応するアプリケーション−アーカイブ設定管理テーブル４２のアーカイブ設定欄４２Ｂである「１」が格納され、規制法律名欄１２４Ｅに、管理者により入力操作されることによって「電子文書法」が格納され、対応するデータタイプ欄１２４Ｆに、対応するアプリケーション−データタイプ管理テーブル２１のデータタイプ格納欄２１Ｂである「メールデータ」が格納される。なお、規制法律名欄１２４Ｅについては、管理者により入力操作される前には、例えば、「−」が格納される。
【００４８】
図１７は、アーカイブ装置パスワード管理テーブル１２５の構成の一例を示している。アーカイブ装置パスワード管理テーブル１２５は、アーカイブ装置番号１２５Ａ、アーカイブ装置３に接続するためのユーザＩＤ及びパスワードを管理するユーザＩＤ欄１２５Ｂ及びパスワード欄１２５Ｃ並びにアーカイブ装置３に接続した際の権限範囲を管理する権限範囲欄１２５Ｄから構成されている。例えば、「ＡＣ１」のアーカイブ装置３のユーザＩＤが「manager」であり、パスワードが「pass」であり、当該ユーザＩＤの権限範囲が「all」場合には、図１７のように、「ＡＣ１」がアーカイブ装置番号１２５Ａに格納され、対応するユーザＩＤ欄１２１Ｂに「manager」が格納され、対応するパスワード欄１２１Ｃに「pass」が格納され、対応する権限範囲欄１２５Ｄに「all」が格納される。
【００４９】
図１８は、データタイプ管理テーブル１２６の構成の一例を示している。データタイプ管理テーブル１２６は、データタイプを一意に識別するための識別子であるデータタイプ番号を管理するデータタイプ番号欄１２６Ａ及びデータタイプ欄１２６Ｂから構成されている。例えば、管理装置６は、当該管理装置６が管理すべきホスト装置２のアプリケーション−データタイプ管理テーブル２１を収集し、アプリケーション−データタイプ管理テーブル２１に基づいてデータタイプ管理テーブル１２６を作成し、これを管理する。従って、アプリケーション−データタイプ管理テーブル２１のデータタイプ欄２１Ｂに「メールデータ」が1番目に格納されている場合には、「１」がデータタイプ番号欄１２６Ａに格納され、対応するデータタイプ欄１２６Ｂに「メールデータ」が格納される。
【００５０】
図１９は、変更保存年数一時格納テーブル１２７の構成の一例を示している。変更保存年数一時格納テーブル１２７は、アプリケーション番号欄１２７Ａ及び変更する保存年数を管理する変更保存年数欄１２７Ｂから構成されている。例えば、「ＡＰ１」のアプリケーション２３の保存年数が「１０年」に変更される場合には、「ＡＰ１」がアプリケーション番号欄１２７Ａに格納され、対応する変更保存年数欄１２７Ｂに「１０年」が格納される。
【００５１】
図２０は、変更データタイプ一時格納テーブル１２８の構成の一例を示している。変更データタイプ一時格納テーブル１２８は、変更するデータタイプを管理する変更データタイプ欄１２８Ａから構成されている。例えば、選択されたアプリケーション２３のデータタイプが「メールデータ」に変更される場合には、「メールデータ」が変更データタイプ欄１２８Ａに格納される。
【００５２】
図２１は、移動先ストレージ装置一時格納テーブル１２９の構成の一例を示している。移動先ストレージ装置一時格納テーブル１２９は、アプリケーション番号欄１２７Ａ及びアプリケーション２３が取り扱うデータを移動する移動先のストレージ装置３を管理する移動先ストレージ装置欄１２９Ｂから構成されている。例えば、「ＡＰ１」のアプリケーション２３が取り扱うデータが格納されているストレージ装置３が「ＳＴ１」に移動される場合には、「ＡＰ１」がアプリケーション番号欄１２８Ａに格納され、対応する移動先ストレージ装置欄１２９Ｂに「ＳＴ１」が格納される。
【００５３】
図２２は、手動変更保存年数一時格納テーブル１３０の構成の一例を示している。手動変更保存年数一時格納テーブル１３０は、アプリケーション番号欄１３０Ａ、データタイプ欄１３０Ｂ及び変更保存年数欄１３０Ｃから構成されている。例えば、「ＡＰ１」のアプリケーション２３の保存年数が、管理者が手動で保存年数を入力することにより、「１０年」に変更される場合には、「ＡＰ１」がアプリケーション番号欄１３０Ａに格納され、対応する変更保存年数欄１３０Ｃに「１０年」が格納される。
【００５４】
図２３は、相違保存年数アプリケーション一時格納テーブル１３１の構成の一例を示している。相違保存年数アプリケーション一時格納テーブル１３１は、保存年数が相違するアプリケーションを管理する相違保存年数アプリケーション番号欄１３１Ａから構成されている。
【００５５】
（３）本実施の形態における表示画面
図２４は、トポロジ表示画面２００の構成の一例を示している。トポロジ表示画面２００は、管理装置７における表示装置１１９の表示画面１１９Ａに表示される。トポロジ表示画面２００には、管理装置６と、当該管理装置６にＬＡＮ７を介して接続されている各ホスト装置２、各アーカイブ装置３、各ストレージ装置４及びストレージ管理装置５との接続関係が表示される。また、トポロジ表示画面２００には、各ホスト装置２と当該各ホスト装置２に格納されているアプリケーション２３との格納関係及びアプリケーション２３が取り扱うデータを保存すべき保存年数、当該データのＷＯＲＭ設定の有無及び当該データのアーカイブ設定の有無等のアプリケーション２３の設定情報が表示される。
【００５６】
具体的にトポロジ表示画面２００は、例えば、ホスト装置表示欄２０２、アーカイブ装置表示欄２０３、ストレージ装置表示欄２０４、ストレージ管理装置表示欄２０５、管理装置表示欄２０６、ＬＡＮ表示欄２０７、アプリケーション表示欄２０８、設定情報表示欄２０９及び新たな規制法律の入力やアプリケーション２３が取り扱うデータを保存すべき保存年数を変更するための規制法律設定・保存年数変更表示欄２２０を表示するための規制法律設定・保存年数変更ボタン２１０から構成されている。この場合、管理装置６と、当該管理装置６にＬＡＮ７を介して接続されている各ホスト装置２、各アーカイブ装置３、各ストレージ装置４及びストレージ管理装置５との接続関係については、接続線２１１により接続されて表示される。また、各ホスト装置２と当該各ホスト装置２に格納されているアプリケーション２３との関係については、接続線２１２により接続されて表示される。さらに、設定情報表示欄２０９については、例えば、対応するアプリケーション表示欄２０８の上側に表示される。なお、例えば、ホスト装置表示欄２０２に表示されている「ホスト装置Ｈ１」は、「Ｈ１」のアプリケーション番号のホスト装置２を表しており、管理者が一目でどのホスト装置２を表しているか認識することができるようになされている。各アーカイブ装置３及び各ストレージ装置４についても、同様である。
【００５７】
図２５は、規制法律設定・保存年数変更表示欄２２０の構成の一例を示している。規制法律設定・保存年数変更画面２２０は、トポロジ表示画面２００上に表示される。規制法律設定・保存年数変更画面２２０は、規制法律番号表示欄２２１、規制法律名表示欄２２２、保存年数表示欄２２３、未設定アプリケーション自動変更ボタン２６０を表示するための規制法律名表示欄２２２上のその他欄２２４、規制法律を追加設定する規制法律追加設定表示欄２３０を表示するための追加ボタン２２５、規制法律名及び又は保存年数を変更するための変更ボタン２２６、追加、変更等の操作を反映するためのＯＫボタン２２７及び当該操作を反映せずにキャンセルするためのキャンセルボタン２２８から構成されている。なお、規制法律設定・保存年数変更表示欄２２０を用いた具体的な処理については、後述する。
【００５８】
図２６は、規制法律追加設定表示欄２３０の構成の一例を示している。規制法律追加設定表示欄２３０は、トポロジ表示画面２００上に表示される。規制法律追加設定表示欄２３０は、規制法律名を入力するための規制法律名入力欄２３１、当該規制法律に記載されているアプリケーション２３が取り扱うデータを保存すべき保存年数を入力するための保存年数入力欄、ＯＫボタン２３３及びキャンセルボタン２３４から構成されている。なお、規制法律追加設定表示欄２３０を用いた具体的な処理については、後述する。
【００５９】
図２７は、規制法律設定・保存年数変更表示欄２２０上に表示されたアプリケーション一覧表示ボタン２４０の構成の一例を示している。アプリケーション一覧表示ボタン２４０は、保存年数を変更する際に、管理装置６にＬＡＮ７を介して接続されている各ホスト装置２に格納されているすべてのアプリケーション２３のアプリケーション番号を一覧表示する全アプリケーション一覧表示欄２５０を表示するための全アプリケーション一覧表示ボタン２３１及び当該アプリケーションのうち保存年数が未設定のアプリケーション２３のアプリケーション番号を一覧表示する未設定アプリケーション一覧表示欄２６０を表示するための未設定アプリケーション一覧表示ボタン２３２から構成されている。なお、アプリケーション一覧表示ボタン２４０を用いた具体的な処理については、後述する。
【００６０】
図２８は、全アプリケーション一覧表示欄２５０の構成の一例を示している。全アプリケーション一覧表示欄２５０は、トポロジ表示画面２００上に表示される。全アプリケーション一覧表示欄２５０は、保存年数を変更するアプリケーション２３をチェックするための変更アプリケーションチェック欄２５１、管理装置６にＬＡＮ７を介して接続されている各ホスト装置２に格納されているすべてのアプリケーション２３のアプリケーション番号を表示する全アプリケーション表示欄２５２、保存年数表示欄２５３、ＯＫボタン２５４及びキャンセルボタン２５５から構成されている。なお、全アプリケーション一覧表示欄２５０を用いた具体的な処理については、後述する。
【００６１】
図２９は、未設定アプリケーション一覧表示欄２６０の構成の一例を示している。未設定アプリケーション一覧表示欄２６０は、トポロジ表示画面２００上に表示される。未設定アプリケーション一覧表示欄２６０は、保存年数を設定するアプリケーション２３をチェックするための設定アプリケーションチェック欄２６１、管理装置６にＬＡＮ７を介して接続されている各ホスト装置２に格納されているうち保存年数が未設定のアプリケーション２３のアプリケーション番号を表示する未設定アプリケーション表示欄２６２、保存年数表示欄２６３、ＯＫボタン２６４及びキャンセルボタン２６５から構成されている。なお、未設定アプリケーション一覧表示欄２６０を用いた具体的な処理については、後述する。
【００６２】
図３０は、規制法律設定・保存年数変更表示欄２２０上に表示された未設定アプリケーション自動変更ボタン２７０の構成の一例を示している。未設定アプリケーション自動変更ボタン２７０は、管理装置６にＬＡＮ７を介して接続されている各ホスト装置２に格納されているうち保存年数が未設定のアプリケーション２３を自動で変更するためのものである。なお、未設定アプリケーション自動変更ボタン２７０を用いた具体的な処理については、後述する。
【００６３】
図３１は、トポロジ表示画面２００上に表示された選択データタイプ表示欄２８０の構成の一例を示している。選択データタイプ表示欄２８０は、選択されたデータタイプと同一のデータタイプのアプリケーション２３の設定情報表示欄２０９をトポロジ表示画面２００に表示するためのものである。なお、データタイプ表示欄２８０を用いた具体的な処理については、後述する。
【００６４】
図３２は、移動アプリケーション一覧表示欄２９０の構成の一例を示している。移動アプリケーション一覧表示欄２９０は、トポロジ表示画面２００上に表示される。移動アプリケーション一覧表示欄２９０は、データを移動するアプリケーション２３をチェックするための移動アプリケーションチェック欄２９１、データを移動するアプリケーション２３のアプリケーション番号を表示する移動アプリケーション番号２９２、ＯＫボタン２９３及びキャンセルボタン２９４から構成されている。なお、移動アプリケーション一覧表示欄２９０を用いた具体的な処理については、後述する。
【００６５】
図３３は、トポロジ表示画面２００上に表示された保存年数手動変更表示ボタン３００の構成の一例を示している。保存年数手動変更表示ボタン３００は、保存年数を手動で変更する際に、保存年数を入力する入力保存年数表示欄３１０を表示するための保存年数手動変更ボタン３０１及び保存年数を手動で一括変更する際に、保存年数を変更するデータタイプを選択するデータタイプ一括変更選択欄３２０を表示するための保存年数手動一括変更ボタン３０２から構成されている。なお、保存年数手動変更表示ボタン３００を用いた具体的な処理については、後述する。
【００６６】
図３４は、保存年数入力表示欄３１０の構成の一例を示している。保存年数入力表示欄３１０は、トポロジ表示画面２００上に表示される。保存年数表入力示欄３１０は、保存年数を入力するための保存年数入力欄３１１、ＯＫボタン３１２及びキャンセルボタン３１３から構成されている。なお、保存年数入力表示欄３１０を用いた具体的な処理については、後述する。
【００６７】
図３５は、データタイプ変更表示欄３２０の構成の一例を示している。データタイプ変更表示欄３２０は、トポロジ表示画面２００上に表示される。データタイプ変更表示欄３２０は、選択されたデータタイプの保存年数を手動で一括変更するためのものである。なお、データタイプ一括変更選択欄３１０を用いた具体的な処理については、後述する。
【００６８】
（４）本実施の形態における各種処理
（４−１）トポロジ表示処理
図３６は、このストレージシステム１における管理装置６のトポロジ表示処理に関する、管理装置６のプロセッサ１１６の具体的な処理手順を示したフローチャートの一例である。
【００６９】
管理装置６のプロセッサ１１６は、当該管理装置６が起動すると、表示装置１１９の表示画面１１９Ａに、管理装置６と、当該管理装置６にＬＡＮ７を介して接続されている各ホスト装置２、各アーカイブ装置３、各ストレージ装置４及びストレージ管理装置５との接続関係を表示し、各ホスト装置２と当該各ホスト装置２に格納されているアプリケーション２３との格納関係及びアプリケーション２３が取り扱うデータを保存すべき保存年数、当該データのＷＯＲＭ設定の有無及び当該データのアーカイブ設定の有無等のアプリケーション２３の設定情報を表示する（トポロジ表示する）トポロジ表示処理プログラム１４１を実行することにより、図３６に示すトポロジ表示処理手順ＲＴ１に従って、管理装置６の管理者による操作部の操作により、トポロジ表示操作がされるのを待機モードで待ち受ける（ＳＰ１）。
【００７０】
やがて、管理装置６のプロセッサ１１６は、トポロジ表示操作がされた場合（ＳＰ１：ＹＥＳ）には、設定情報取得処理を実行する（ＲＴ２）。
【００７１】
図３７及び図３８は、このストレージシステム１における管理装置６の設定情報取得処理に関する、管理装置６のプロセッサ１１６の具体的な処理手順を示したフローチャートの一例である。
【００７２】
管理装置６のプロセッサ１１６は、トポロジ表示操作がされた場合（ＳＰ１：ＹＥＳ）には、図３７及び図３８に示す設定情報取得処理手順ＲＴ２に従って、図１３に示したＩＰアドレス管理テーブル１２１のＩＰアドレス欄１２１Ａを参照し、所定のＩＰアドレスを選択する（ＳＰ１１）。
【００７３】
続いて、管理装置６のプロセッサ１１６は、選択したＩＰアドレスに対応する装置に接続を要求する（ＳＰ１２）。例えば、管理装置６のプロセッサ１１６は、「192.168.xxx.1」に対応する装置に「admin」のユーザＩＤ及び「root」のパスワードを含んだ接続要求を送信することにより、接続を要求する。
【００７４】
続いて、管理装置６のプロセッサ１１６は、接続を要求した装置から接続許可通知が受信されたか否かをチェックする（ＳＰ１３）。例えば、管理装置６のプロセッサ１１６は、接続要求を送信してから所定期間内に接続を要求した装置から接続許可通知が受信されたか否かにより、接続を要求した装置から接続許可通知が受信されたか否かをチェックする。
【００７５】
そして、管理装置６のプロセッサ１１６は、接続を要求した装置から接続許可通知が受信されない場合（ＳＰ１３：ＮＯ）には、エラーとして、この図３７及び図３８に示す設定情報取得処理手順ＲＴ２を終了し（ＳＰ２２）、この後、図３６に示すトポロジ表示処理ＲＴ１を終了する（ＳＰ５）。例えば、ユーザＩＤ又はパスワードが異なっている等の場合には、接続不許可通知が受信され、接続許可通知が受信されないこととなる。
【００７６】
これに対して、管理装置６のプロセッサ１１６は、接続を要求した装置から接続許可通知が受信された場合（ＳＰ１３：ＹＥＳ）には、接続許可通知を受信した装置がホスト装置２であるか否かをチェックする（ＳＰ１４）。
【００７７】
そして、管理装置６のプロセッサ１１６は、接続許可通知を受信した装置がホスト装置２でない場合（ＳＰ１４：ＮＯ）には、ステップＳＰ１６に進む。これに対して、管理装置６のプロセッサ１１６は、接続許可通知を受信した装置がホスト装置２である場合（ＳＰ１４：ＹＥＳ）には、当該ホスト装置２から図８に示したデータタイプ管理テーブル２１を取得する（ＳＰ１５）。具体的に、管理装置６のプロセッサ１１６は、データタイプ管理テーブル２１の送信要求を当該ホスト装置２に送信する。そして、ホスト装置２は、当該送信要求を受信すると、データタイプ管理テーブル２１を管理装置６に送信する。
【００７８】
続いて、管理装置６のプロセッサ１１６は、接続許可通知を受信した装置がアーカイブ装置３であるか否かをチェックする（ＳＰ１６）。
【００７９】
そして、管理装置６のプロセッサ１１６は、接続許可通知を受信した装置がアーカイブ装置３でない場合（ＳＰ１６：ＮＯ）には、ステップＳＰ１８に進む。これに対して、管理装置６のプロセッサ１１６は、接続許可通知を受信した装置がアーカイブ装置３である場合（ＳＰ１６：ＹＥＳ）には、当該アーカイブ装置３から図９に示したホスト装置−アプリケーション管理テーブル４１及び図１０に示したアプリケーション−アーカイブ設定管理テーブル４２を取得する（ＳＰ１７）。具体的に、管理装置６のプロセッサ１１６は、ホスト装置−アプリケーション管理テーブル４１及びアプリケーション−アーカイブ設定管理テーブル４２の送信要求を当該アーカイブ装置３に送信する。そして、アーカイブ装置３は、当該送信要求を受信すると、ホスト装置−アプリケーション管理テーブル４１及びアプリケーション−アーカイブ設定管理テーブル４２を管理装置６に送信する。
【００８０】
続いて、管理装置６のプロセッサ１１６は、接続許可通知を受信した装置がストレージ管理装置５であるか否かをチェックする（ＳＰ１８）。
【００８１】
そして、管理装置６のプロセッサ１１６は、接続許可通知を受信した装置がアストレージ管理装置５でない場合（ＳＰ１８：ＮＯ）には、ステップＳＰ２０に進む。これに対して、管理装置６のプロセッサ１１６は、接続許可通知を受信した装置がストレージ管理装置５である場合（ＳＰ１８：ＹＥＳ）には、当該ストレージ管理装置５から図１２に示したストレージ装置−ＷＯＲＭ設定管理テーブル１０１を取得する（ＳＰ１９）。具体的に、管理装置６のプロセッサ１１６は、ストレージ装置−ＷＯＲＭ設定管理テーブル１０１の送信要求を当該ストレージ管理装置５に送信する。そして、ストレージ管理装置５は、当該送信要求を受信すると、ストレージ装置−ＷＯＲＭ設定管理テーブル１０１を管理装置６に送信する。
【００８２】
続いて、管理装置６のプロセッサ１１６は、ＩＰアドレス管理テーブル１２１のＩＰアドレス欄１２１Ａに格納されているすべてのＩＰアドレスが選択されたか否かをチェックする（ＳＰ２０）。
【００８３】
そして、管理装置６のプロセッサ１１６は、ＩＰアドレス管理テーブル１２１のＩＰアドレス欄１２１Ａに格納されているすべてのＩＰアドレスが選択されていない場合（ＳＰ２０：ＮＯ）には、ＩＰアドレス管理アドレス１２１のＩＰアドレス欄１２１Ａに格納されているＩＰアドレスのうち未選択のＩＰアドレスを選択し（ＳＰ２１）、この後、再び、選択したＩＰアドレスに対応する装置に接続を要求するステップＳＰ１２に戻り、この後、同様の処理を繰り返す（ＳＰ１２〜ＳＰ２０）。
【００８４】
これに対して、管理装置６のプロセッサ１１６は、ＩＰアドレス管理テーブル１２１のＩＰアドレス欄１２１Ａに格納されているすべてのＩＰアドレスが選択された場合（ＳＰ２０：ＹＥＳ）には、この後、この図３７及び図３８に示す設定情報取得処理手順ＲＴ２を終了する（ＳＰ２２）。
【００８５】
やがて、管理装置６のプロセッサ１１６は、接続を要求した装置から接続許可通知が受信され（ＳＰ１３：ＹＥＳ）、設定情報取得処理手順ＲＴ２が終了した場合（ＳＰ２２）には、取得したデータタイプ管理テーブル２１、アプリケーション−アーカイブ設定管理テーブル４２及びストレージ装置−ＷＯＲＭ設定管理テーブル１０１から図１４に示したアーカイブ装置−アーカイブ設定管理テーブル１２２を作成又は更新する（ＳＰ２）。
【００８６】
続いて、管理装置６のプロセッサ１１６は、取得したストレージ装置−ＷＯＲＭ設定管理テーブル１０１、作成又は更新したアーカイブ装置−アーカイブ設定管理テーブル１２２及び図１５に示した規制法律管理テーブル１２３からアプリケーション属性管理テーブル１２４を作成又は更新する（ＳＰ３）。
【００８７】
続いて、管理装置６のプロセッサ１１６は、取得したデータタイプ管理テーブル２１、ホスト装置−アプリケーション管理テーブル４１、アプリケーション−アーカイブ設定管理テーブル４２及びストレージ装置−ＷＯＲＭ設定管理テーブル１０１並びに作成又は更新したアーカイブ装置−アーカイブ設定管理テーブル１２２及びアプリケーション属性管理テーブル１２４に基づいてトポロジ表示すると共に、表示装置１１９の表示画面１１９Ａの所定位置に規制法律設定・保存年数変更ボタン２１０を表示することにより、トポロジ表示画面２００を表示装置１１９の表示画面１１９Ａに表示する（ＳＰ４）。
【００８８】
やがて、管理装置６のプロセッサ１１６は、この後、図３６に示すトポロジ表示処理ＲＴ１を終了する（ＳＰ５）。
【００８９】
なお、本実施の形態においては、アプリケーション２３が取り扱うデータを保存すべき保存年数、当該データのＷＯＲＭ設定の有無及び当該データのアーカイブ設定の有無等のアプリケーション２３の設定情報を表示した場合について述べたが、本発明はこれに限らず、当該設定情報を表示せずに、所定の操作により表示するようにしても良い。
【００９０】
このようにしてストレージシステム１では、管理装置６において、当該管理装置６にＬＡＮ７を介して接続されている各ホスト装置２、各アーカイブ装置３、各ストレージ装置４及びストレージ管理装置５との接続関係、各ホスト装置２と当該各ホスト装置２に格納されているアプリケーション２３との格納関係及びアプリケーション２３が取り扱うデータを保存すべき保存年数、当該データのＷＯＲＭ設定の有無及び当該データのアーカイブ設定の有無等のアプリケーション２３の設定情報を取得し、トポロジ表示画面２００として表示装置１１９の表示画面１１９Ａに表示させる。
【００９１】
従って、管理者がそれぞれの装置において接続状態や年数情報等の設定情報を確認しなければならないといった管理作業の増大を未然かつ有効に防止して、上述の接続関係、格納関係及び設定情報を管理装置６において簡易に確認することができ、かくして、各ホスト装置２、各アーカイブ装置３、各ストレージ装置４及びストレージ管理装置５を容易に管理することができる。
【００９２】
（４−２）規制法律追加・変更処理
図３９は、このストレージシステム１における管理装置６の規制法律追加・変更処理に関する、管理装置６のプロセッサ１１６の具体的な処理手順を示したフローチャートの一例である。
【００９３】
管理装置６のプロセッサ１１６は、トポロジ表示画面２００が表示されると、規制法律を追加・変更する規制法律追加・変更処理プログラム１４２を実行することにより、図３９に示す規制法律追加・変更処理手順ＲＴ３に従って、管理装置６の管理者による操作部の操作により、規制法律設定・保存年数変更ボタン２１０が選択されるのを待機モードで待ち受ける（ＳＰ３１）。
【００９４】
やがて、管理装置６のプロセッサ１１６は、規制法律設定・保存年数変更ボタン２１０が選択された場合（ＳＰ３１：ＹＥＳ）には、表示装置１１９の表示画面１１９Ａにおけるトポロジ表示画面２００上に図２５に示した規制法律設定・保存年数変更表示欄２２０を表示する（ＳＰ３２）。
【００９５】
続いて、管理装置６のプロセッサ１１６は、管理装置６の管理者による操作部の操作により、追加ボタン２２５又は変更ボタン２２６が選択されるのを待機モードで待ち受ける（ＳＰ３３）。
【００９６】
やがて、管理装置６のプロセッサ１１６は、管理装置６の管理者による操作部の操作により、追加ボタン２２５又は変更ボタン２２６が選択された場合（ＳＰ３３：ＹＥＳ）には、追加ボタン２２５又は変更ボタン２２６のうち追加ボタン２２５が選択されたか否かをチェックする（ＳＰ３４）。
【００９７】
そして、管理装置６のプロセッサ１１６は、追加ボタン２２５又は変更ボタン２２６のうち追加ボタン２２５が選択された場合（ＳＰ３４：ＹＥＳ）には、表示装置１１９の表示画面１１９Ａにおけるトポロジ表示画面２００上に図２６に示した規制法律追加設定表示欄２３０を表示する（ＳＰ３５）。
【００９８】
続いて、管理装置６のプロセッサ１１６は、規制法律追加設定表示欄２３０の規制法律名入力欄２３１及び保存年数入力欄２３２に規制法律名及び保存年数が入力されて、ＯＫボタン２３３が選択され、その後、規制法律設定・保存年数変更欄２２０のＯＫボタン２２７が選択されるのを待機モードで待ち受ける（ＳＰ３６）。
【００９９】
これに対して、管理装置６のプロセッサ１１６は、管理装置６のプロセッサ１１６は、追加ボタン２２５又は変更ボタン２２６のうち追加ボタン２２５が選択されなかった場合、すなわち変更ボタン２２６が選択された場合（ＳＰ３４：ＮＯ）には、規制法律設定・保存年数変更欄２２０の規制法律名表示欄２２２及び又は保存年数表示欄２２３に規制法律名及び又は保存年数が変更入力され、ＯＫボタン２２７が選択されるのを待機モードで待ち受ける（ＳＰ３７）。
【０１００】
やがて、管理装置６のプロセッサ１１６は、規制法律追加設定表示欄２３０の規制法律名入力欄２３１及び保存年数入力欄２３２に規制法律名及び保存年数が入力されＯＫボタン２３３が選択され、その後、規制法律設定・保存年数変更欄２２０のＯＫボタン２２７が選択された場合（ＳＰ３６：ＹＥＳ）、又は規制法律設定・保存年数変更欄２２０の規制法律名表示欄２２２及び又は保存年数表示欄２２３に規制法律名及び又は保存年数が変更入力され、ＯＫボタン２２７が選択された場合（ＳＰ３７：ＹＥＳ）には、規制法律名及び又は保存年数を図１５に示した規制法律管理テーブル１２３に追加・変更することにより、更新する（ＳＰ３８）。
【０１０１】
やがて、管理装置６のプロセッサ１１６は、この後、図３９に示す規制法律追加・変更処理手順ＲＴ３を終了する（ＳＰ３９）。
【０１０２】
このようにしてストレージシステム１では、管理装置６において、新たに規制法律が発行された場合や規制法律の改正等により、保存しておかなければならない保存年数が変更された場合にも、アプリケーション２３が取り扱うデータを保存しておくべき保存年数が記載されている規制法律及び当該規制法律の保存年数を追加・変更することができ、各ホスト装置２、各アーカイブ装置３、各ストレージ装置４及びストレージ管理装置５を一段と容易に管理することができる。
【０１０３】
（４−３）保存年数変更処理
図４０は、このストレージシステム１における管理装置６の保存年数変更処理に関する、管理装置６のプロセッサ１１６の具体的な処理手順を示したフローチャートの一例である。
【０１０４】
管理装置６のプロセッサ１１６は、規制法律設定・保存年数変更表示欄２２０が表示された場合（ＳＰ３２）には、アプリケーション２３が取り扱うデータの保存年数を変更する保存年数変更処理プログラム１４３を実行することにより、図４０に示す保存年数変更処理手順ＲＴ４に従って、管理装置６の管理者による操作部の操作により、規制法律名欄２２２上で所定の操作がされるのを待機モードで待ち受ける（ＳＰ４１）。例えば、管理装置６のプロセッサ１１６は、規制法律名欄２２２上でいわゆる「右クリック」操作がされるのを待ち受ける。
【０１０５】
やがて、管理装置６のプロセッサ１１６は、管理装置６の管理者による操作部の操作により、規制法律名欄２２２上で所定の操作がされた場合（ＳＰ４１：ＹＥＳ）には、その他欄２２４以外の規制法律名欄２２２の規制法律名上で所定の操作がされたか否かをチェックする（ＳＰ４２）。例えば、管理装置６のプロセッサ１１６は、その他欄２２４以外の規制法律名欄２２２の規制法律名上、又はその他欄２２４上でいわゆる「右クリック」操作がされたか否かをチェックする。
【０１０６】
そして、管理装置６のプロセッサ１１６は、その他欄２２４以外の規制法律名欄２２２の規制法律名上で所定の操作がされた場合（ＳＰ４２：ＹＥＳ）には、変更アプリケーション選択処理を実行する（ＲＴ５）。
【０１０７】
図４１は、このストレージシステム１における管理装置６の変更アプリケーション選択処理に関する、管理装置６のプロセッサ１１６の具体的な処理手順を示したフローチャートの一例である。
【０１０８】
管理装置６のプロセッサ１１６は、その他欄２２４以外の規制法律名欄２２２の規制法律名上で所定の操作がされた場合（ＳＰ４２：ＹＥＳ）には、図４１に示す変更アプリケーション選択処理手順ＲＴ５に従って、図２７に示したように、例えば、所定の操作がされた規制法律名欄２２２の規制法律名の上側にアプリケーション一覧表示ボタン２４０を表示する（ＳＰ５１）。
【０１０９】
続いて、管理装置６のプロセッサ１１６は、管理装置６の管理者による操作部の操作により、全アプリケーション一覧表示ボタン２３１又は未設定アプリケーション一覧表示ボタン２３２が選択されるのを待機モードで待ち受ける（ＳＰ５２）。
【０１１０】
やがて、管理装置６のプロセッサ１１６は、管理装置６の管理者による操作部の操作により、全アプリケーション一覧表示ボタン２３１又は未設定アプリケーション一覧表示ボタン２３２が選択された場合（ＳＰ５２：ＹＥＳ）には、全アプリケーション一覧表示ボタン２３１又は未設定アプリケーション一覧表示ボタン２３２のうち全アプリケーション一覧表示ボタン２３１が選択されたか否かをチェックする（ＳＰ５３）。
【０１１１】
そして、管理装置６のプロセッサ１１６は、管理装置６の管理者による操作部の操作により、全アプリケーション一覧表示ボタン２３１又は未設定アプリケーション一覧表示ボタン２３２のうち全アプリケーション一覧表示ボタン２３１が選択された場合（ＳＰ５３：ＹＥＳ）には、トポロジ表示画面２００上に図２８に示した全アプリケーション一覧表示欄２５０を表示する（ＳＰ５４）。具体的に、管理装置６のプロセッサ１１６は、図１６に示したアプリケーション属性管理テーブル１２４を参照し、アプリケーション属性管理テーブル１２４のアプリケーション欄１２４Ａに格納されているアプリケーション番号を全アプリケーション一覧表示欄２５０の全アプリケーション表示欄２５２に格納して表示する。
【０１１２】
そして、管理装置６のプロセッサ１１６は、管理装置６の管理者による操作部の操作により、全アプリケーション一覧表示ボタン２３１又は未設定アプリケーション一覧表示ボタン２３２のうち全アプリケーション一覧表示ボタン２３１が選択されなかった、すなわち、未設定アプリケーション一覧表示ボタン２３２が選択された場合（ＳＰ５３：ＮＯ）には、トポロジ表示画面２００上に図２９に示した未設定アプリケーション一覧表示欄２６０を表示する（ＳＰ５５）。具体的に、管理装置６のプロセッサ１１６は、図１６に示したアプリケーション属性管理テーブル１２４を参照し、保存年数欄１２４Ｂに格納されている保存年数が「−」のアプリケーション番号を未設定アプリケーション一覧表示欄２６０の未設定アプリケーション表示欄２６２に格納して表示する。
【０１１３】
やがて、管理装置６のプロセッサ１１６は、管理装置６の管理者による操作部の操作により、全アプリケーション一覧表示欄２５０の変更アプリケーションチェック欄２５１又は未設定アプリケーション一覧表示欄２６０の設定アプリケーションチェック欄２６１がチェックされることにより、保存年数を変更・設定するアプリケーション２３が選択されて、その後、ＯＫボタン２５４、２６４が選択されるのを待機モードで待ち受ける（ＳＰ５６）。
【０１１４】
やがて、管理装置６のプロセッサ１１６は、管理装置６の管理者による操作部の操作により、全アプリケーション一覧表示欄２５０の変更アプリケーションチェック欄２５１又は未設定アプリケーション一覧表示欄２６０の設定アプリケーションチェック欄２６１がチェックされることにより、保存年数を変更・設定するアプリケーション２３が選択されて、その後、ＯＫボタン２５４、２６４が選択された場合（ＳＰ５６：ＹＥＳ）には、選択された、保存年数を変更・設定するアプリケーション２３のアプリケーション番号を図１９に示した変更保存年数一時格納テーブル１２７のアプリケーション番号欄１２７に格納すると共に、規制法律管理テーブル１２３を参照し、所定の操作がされた規制法律名の保存年数を、対応する変更保存年数一時格納テーブル１２７の保存年数欄１２７Ｂに格納する（ＳＰ５７）。
【０１１５】
やがて、管理装置６のプロセッサ１１６は、この後、図４１に示す変更アプリケーション選択処理手順ＲＴ５を終了する（ＳＰ５８）。
【０１１６】
これに対して、管理装置６のプロセッサ１１６は、その他欄２２４以外の規制法律名欄２２２の規制法律名上で所定の操作がされなかった、すなわち、その他欄２２４上で所定の操作がされた場合（ＳＰ４２：ＮＯ）には、未設定アプリケーション規制法律選択処理を実行する（ＲＴ６）。
【０１１７】
図４２は、このストレージシステム１における管理装置６の未設定アプリケーション規制法律選択処理に関する、管理装置６のプロセッサ１１６の具体的な処理手順を示したフローチャートの一例である。
【０１１８】
管理装置６のプロセッサ１１６は、その他欄２２４上で所定の操作がされた場合（ＳＰ４２：ＮＯ）には、図４２に示す未設定アプリケーション規制法律選択処理手順ＲＴ６に従って、図３０に示したように、例えば、所定の操作がされたその他欄２２４の上側に未設定アプリケーション自動変更ボタン２７０を表示する（ＳＰ６１）。
【０１１９】
続いて、管理装置６のプロセッサ１１６は、管理装置６の管理者による操作部の操作により、未設定アプリケーション自動変更ボタン２７０が選択されるのを待機モードで待ち受ける（ＳＰ６２）。
【０１２０】
やがて、管理装置６のプロセッサ１１６は、管理装置６の管理者による操作部の操作により、未設定アプリケーション自動変更ボタン２７０が選択された場合（ＳＰ６２：ＹＥＳ）には、保存年数が未設定のアプリケーション２３を選択する（ＳＰ６３）。具体的に、管理装置６のプロセッサ１１６は、図１６に示したアプリケーション属性管理テーブル１２４を参照し、保存年数欄１２４Ｂに格納されている保存年数が「−」のアプリケーション番号を選択する。
【０１２１】
続いて、管理装置６のプロセッサ１１６は、図１５に示した規制法律管理テーブル１２３及び図１６に示したアプリケーション属性管理テーブル１２４を参照し、アプリケーション属性管理テーブル１２４のデータタイプ欄１２４Ｆに格納されているデータタイプに基づいて、対応する規制法律管理テーブル１２３の規制法律名欄１２３Ｂに格納されている規制法律名を選択する（ＳＰ６４）。
【０１２２】
続いて、管理装置６のプロセッサ１１６は、選択したアプリケーション２３のアプリケーション番号を図１９に示した変更保存年数一時格納テーブル１２７のアプリケーション番号欄１２７に格納すると共に、規制法律管理テーブル１２３を参照し、選択した規制法律名の保存年数を、対応する変更保存年数一時格納テーブル１２７の保存年数欄１２７Ｂに格納する（ＳＰ６５）。
【０１２３】
続いて、管理装置６のプロセッサ１１６は、アプリケーション属性管理テーブル１２４のアプリケーション番号欄１２４Ａに格納されている、保存年数が未設定のすべてのアプリケーション番号が選択されたか否かをチェックする（ＳＰ６６）。
【０１２４】
そして、管理装置６のプロセッサ１１６は、アプリケーション属性管理テーブル１２４のアプリケーション番号欄１２４Ａに格納されている、保存年数が未設定のすべてのアプリケーション番号が選択されていない場合（ＳＰ６６：ＮＯ）には、アプリケーション属性管理テーブル１２４のアプリケーション番号欄１２４Ａに格納されている、保存年数が未設定のアプリケーション番号のうち未選択のアプリケーション番号を選択し（ＳＰ６７）、この後、再び、図１５に示した規制法律管理テーブル１２３及び図１６に示したアプリケーション属性管理テーブル１２４を参照し、アプリケーション属性管理テーブル１２４のデータタイプ欄１２４Ｆに格納されているデータタイプに基づいて、対応する規制法律管理テーブル１２３の規制法律名欄１２３Ｂに格納されている規制法律名を選択するステップＳＰ６４に戻り、この後、同様の処理を繰り返す（ＳＰ６４〜ＳＰ６６）。
【０１２５】
これに対して、管理装置６のプロセッサ１１６は、アプリケーション属性管理テーブル１２４のアプリケーション番号欄１２４Ａに格納されている、保存年数が未設定のすべてのアプリケーション番号が選択された場合（ＳＰ６６：ＹＥＳ）には、この後、この図４２に示す未設定アプリケーション規制法律選択処理手順ＲＴ６を終了する（ＳＰ６８）。
【０１２６】
やがて、管理装置６のプロセッサ１１６は、図４１に示す変更アプリケーション選択処理手順ＲＴ５が終了した場合（ＳＰ５８）、又は図４２に示す未設定アプリケーション規制法律選択処理手順ＲＴ６が終了した場合（ＳＰ６８）には、管理装置側保存年数変更処理を実行する（ＲＴ７）。
【０１２７】
図４３は、このストレージシステム１における管理装置６の管理装置側保存年数変更処理に関する、管理装置６のプロセッサ１１６の具体的な処理手順を示したフローチャートの一例である。
【０１２８】
管理装置６のプロセッサ１１６は、図４１に示す変更アプリケーション選択処理手順ＲＴ５が終了した場合（ＳＰ５８）、又は図４２に示す未設定アプリケーション規制法律選択処理手順ＲＴ６が終了した場合（ＳＰ６８）には、図４３に示す管理装置側保存年数変更処理手順ＲＴ７に従って、図４１に示す変更アプリケーション選択処理手順ＲＴ５又は図４２に示す未設定アプリケーション規制法律選択処理手順ＲＴ６において、変更保存年数一時格納テーブル１２７のアプリケーション番号欄１２７Ａに格納したアプリケーション番号を選択する（ＳＰ７１）。
【０１２９】
続いて、管理装置６のプロセッサ１１６は、選択したアプリケーション番号に対応するアーカイブ装置−アーカイブ設定管理テーブル１２２の保存年数欄１２２Ｄに格納されている保存年数を、選択したアプリケーション番号に対応する変更保存年数一時格納テーブル１２７の保存年数欄１２７Ｂに格納されている保存年数に変更する（ＳＰ７２）。
【０１３０】
続いて、管理装置６のプロセッサ１１６は、選択したアプリケーション番号に対応するアプリケーション属性管理テーブル１２４の保存年数欄１２４Ｂに格納されている保存年数を、選択したアプリケーション番号に対応する変更保存年数一時格納テーブル１２７の保存年数欄１２７Ｂに格納されている保存年数に変更する（ＳＰ７３）。
【０１３１】
また、管理装置６のプロセッサ１１６は、選択したアプリケーション番号に対応するアプリケーション属性管理テーブル１２４の規制法律名欄１２４Ｅに格納されている規制法律名を、図４１に示す変更アプリケーション選択処理手順ＲＴ５において、変更保存年数一時格納テーブル１２７のアプリケーション番号欄１２７Ａに格納するにあたり、所定の操作がなされた規制法律名、又は図４２に示す未設定アプリケーション規制法律選択処理手順ＲＴ６において、選択したアプリケーション番号に基づいて選択した規制法律名に変更する（ＳＰ７３）。
【０１３２】
続いて、管理装置６のプロセッサ１１６は、変更保存年数一時格納テーブル１２７のアプリケーション番号欄１２７Ａに格納したすべてのアプリケーション番号が選択されたか否かをチェックする（ＳＰ７４）。
【０１３３】
そして、管理装置６のプロセッサ１１６は、変更保存年数一時格納テーブル１２７のアプリケーション番号欄１２７Ａに格納したすべてのアプリケーション番号が選択されていない場合（ＳＰ７４：ＮＯ）には、変更保存年数一時格納テーブル１２７のアプリケーション番号欄１２７Ａに格納したアプリケーション番号のうち未選択のアプリケーション番号を選択し（ＳＰ７５）、この後、再び、選択したアプリケーション番号に対応するアーカイブ装置−アーカイブ設定管理テーブル１２２の保存年数欄１２２Ｄに格納されている保存年数を、選択したアプリケーション番号に対応する変更保存年数一時格納テーブル１２７の保存年数欄１２７Ｂに格納されている保存年数に変更するステップＳＰ７２に戻り、この後、同様の処理を繰り返す（ＳＰ７２〜ＳＰ７４）。
【０１３４】
これに対して、管理装置６のプロセッサ１１６は、変更保存年数一時格納テーブル１２７のアプリケーション番号欄１２７Ａに格納したすべてのアプリケーション番号が選択された場合（ＳＰ７４：ＹＥＳ）には、この後、この図４３に示す管理装置側保存年数変更処理手順ＲＴ７を終了する（ＳＰ７６）。
【０１３５】
続いて、管理装置６のプロセッサ１１６は、図４３に示す管理装置側保存年数変更処理手順ＲＴ７が終了した場合（ＳＰ７６）には、アーカイブ装置側保存年数変更処理を実行する（ＲＴ８）。
【０１３６】
図４４は、このストレージシステム１における管理装置６のアーカイブ装置側保存年数変更処理に関する、管理装置６のプロセッサ１１６の具体的な処理手順を示したフローチャートの一例である。
【０１３７】
管理装置６のプロセッサ１１６は、図４３に示す管理装置側保存年数変更処理手順ＲＴ７が終了した場合（ＳＰ７６）には、図４４に示すアーカイブ装置側保存年数変更処理手順ＲＴ８に従って、図４１に示す変更アプリケーション選択処理手順ＲＴ５又は図４２に示す未設定アプリケーション規制法律選択処理手順ＲＴ６において、変更保存年数一時格納テーブル１２７のアプリケーション番号欄１２７Ａに格納したアプリケーション番号を選択する（ＳＰ８１）。
【０１３８】
続いて、管理装置６のプロセッサ１１６は、図１４に示したアーカイブ装置−アーカイブ設定管理テーブル１２２を参照し、選択したアプリケーション番号のアプリケーション２３を管理するアーカイブ装置３に接続を要求する（ＳＰ８２）。この場合、管理装置６のプロセッサ１１６は、アーカイブ装置パスワード管理テーブル１２５を参照し、選択したアプリケーション番号のアプリケーション２３を管理するアーカイブ装置３のアーカイブ装置番号を選択し、対応するユーザＩＤ及びパスワードを含んだ接続要求を送信することにより、接続を要求する。
【０１３９】
続いて、管理装置６のプロセッサ１１６は、接続を要求したアーカイブ装置３から接続許可通知が受信されたか否かをチェックする（ＳＰ８３）。例えば、管理装置６のプロセッサ１１６は、接続要求を送信してから所定期間内に接続を要求したアーカイブ装置３から接続許可通知が受信されたか否かにより、接続を要求したアーカイブ装置３から接続許可通知が受信されたか否かをチェックする。
【０１４０】
そして、管理装置６のプロセッサ１１６は、接続を要求したアーカイブ装置３から接続許可通知が受信されない場合（ＳＰ８３：ＮＯ）には、エラーとして、この図４４に示すアーカイブ装置側保存年数変更処理手順ＲＴ８を終了し（ＳＰ８７）、この後、図４０に示す保存年数変更処理手順ＲＴ４を終了する（ＳＰ４３）。例えば、ユーザＩＤ又はパスワードが異なっている等の場合には、接続不許可通知が受信され、接続許可通知が受信されないこととなる。
【０１４１】
これに対して、管理装置６のプロセッサ１１６は、接続を要求したアーカイブ装置３から接続許可通知が受信された場合（ＳＰ８３：ＹＥＳ）には、選択したアプリケーション番号に対応するアプリケーション−アーカイブ設定管理テーブル４２の保存年数欄４２Ｃに格納されている保存年数を、選択したアプリケーション番号に対応する変更保存年数一時格納テーブル１２７の保存年数欄１２７Ｂに格納されている保存年数に変更する（ＳＰ８４）。具体的に、管理装置６のプロセッサ１１６は、選択したアプリケーション番号に対応する変更保存年数一時格納テーブル１２７の保存年数欄１２７Ｂに格納されている保存年数に変更する変更要求を、接続を要求したアーカイブ装置３に送信する。そして、アーカイブ装置３は、当該変更要求を受信すると、選択したアプリケーション番号に対応するアプリケーション−アーカイブ設定管理テーブル４２の保存年数欄４２Ｃに格納されている保存年数を変更する。
【０１４２】
続いて、管理装置６のプロセッサ１１６は、変更保存年数一時格納テーブル１２７のアプリケーション番号欄１２７Ａに格納したすべてのアプリケーション番号が選択されたか否かをチェックする（ＳＰ８５）。
【０１４３】
そして、管理装置６のプロセッサ１１６は、変更保存年数一時格納テーブル１２７のアプリケーション番号欄１２７Ａに格納したすべてのアプリケーション番号が選択されていない場合（ＳＰ８５：ＮＯ）には、変更保存年数一時格納テーブル１２７のアプリケーション番号欄１２７Ａに格納したアプリケーション番号のうち未選択のアプリケーション番号を選択し（ＳＰ８６）、この後、再び、図１４に示したアーカイブ装置−アーカイブ設定管理テーブル１２２を参照し、選択したアプリケーション番号のアプリケーション２３を管理するアーカイブ装置３に接続を要求するステップＳＰ８２に戻り、この後、同様の処理を繰り返す（ＳＰ８２〜ＳＰ８５）。
【０１４４】
これに対して、管理装置６のプロセッサ１１６は、変更保存年数一時格納テーブル１２７のアプリケーション番号欄１２７Ａに格納したすべてのアプリケーション番号が選択された場合（ＳＰ８５：ＹＥＳ）には、この後、この図４４に示すアーカイブ装置側保存年数変更処理手順ＲＴ８を終了する（ＳＰ８７）。
【０１４５】
やがて、管理装置６のプロセッサ１１６は、図４４に示すアーカイブ装置側保存年数変更処理手順ＲＴ８が終了した場合（ＳＰ８７）には、この後、この図４０に示す保存年数変更処理手順ＲＴ４を終了する（ＳＰ４３）。
【０１４６】
このようにしてストレージシステム１では、管理装置６において、アプリケーション２３が取り扱うデータを保存しておくべき保存年数が記載されている規制法律の保存年数に、現在の保存年数を変更することにより、規制法律の改正等により保存しておかなければならない保存年数が変更された場合にも、設定されている保存年数をそれぞれの装置において変更するという煩雑な作業を管理者にさせることなく、対応するホスト装置２、アーカイブ装置３、ストレージ装置４及びストレージ管理装置５にも保存年数の変更を反映することができ、各ホスト装置２、各アーカイブ装置３、各ストレージ装置４及びストレージ管理装置５を一段と容易に管理することができる。
【０１４７】
なお、ホスト装置２とアーカイブ装置３間、アーカイブ装置３及びストレージ装置４間並びにストレージ装置４及びストレージ管理装置５間の情報反映については、従来技術により実現することができる。
【０１４８】
（４−４）強調表示処理
図４５は、このストレージシステム１における管理装置６の強調表示処理に関する、管理装置６のプロセッサ１１６の具体的な処理手順を示したフローチャートの一例である。
【０１４９】
管理装置６のプロセッサ１１６は、図３６に示すトポロジ表示処理ＲＴ１を終了した場合（ＳＰ５）には、所定のアプリケーション２３と装置間、又は所定の装置間を強調表示する強調表示処理プログラム１４４を実行することにより、図４５に示す強調表示処理手順ＲＴ９に従って、所定のアプリケーション２３と装置間、又は所定の装置間を強調表示する操作がされるのを待機モードで待ち受ける（ＳＰ９１）。
【０１５０】
やがて、管理装置６のプロセッサ１１６は、所定のアプリケーションと装置間、又は所定の装置間を強調表示する操作がされた場合（ＳＰ９１：ＹＥＳ）には、ホスト装置−アプリケーション管理テーブル４１及びアーカイブ装置−アーカイブ設定管理テーブル１２２を参照し、対応するアプリケーション２３と装置間、又は対応する装置間を表示装置１１９の表示画面１１９Ａのトポロジ表示画面２００上に強調表示し（ＳＰ９２）、この後、この図４５に示す接続先強調表示処理手順ＲＴ９を終了する（ＳＰ９３）。
【０１５１】
図４６は、「ＡＰ１」のアプリーション２３が格納されているホスト装置２、当該ホスト装置２を管理するアーカイブ装置３及び当該アプリケーション２３が取り扱うデータが格納されているストレージ装置４を強調表示した場合のトポロジ表示画面２００を示している。
【０１５２】
この場合、例えば、「ＡＰ１」のアプリケーション表示欄２０８上において、「ＡＰ１」のアプリケーション表示欄２０８のアプリーション２３が格納されているホスト装置２、当該ホスト装置２を管理するアーカイブ装置３及び当該アプリケーション２３が取り扱うデータが格納されているストレージ装置４を強調表示する操作がなされており、管理装置６のプロセッサ１１６は、当該操作がされた場合には、ホスト装置−アプリケーション管理テーブル４１を参照する。そして、管理装置６のプロセッサ１１６は、「ＡＰ１」のアプリケーション２３が「ホスト装置Ｈ１」のホスト装置２に格納されているため、図４６のように、「ＡＰ１」のホスト表示欄２０８及び「ホスト装置Ｈ１」のホスト装置表示欄２０２を接続する接続線２１２を強調表示する。
【０１５３】
また、管理装置６のプロセッサ１１６は、アーカイブ装置−アーカイブ設定管理テーブル１２２を参照すると、「ＡＰ１」のアプリーション２３が格納されているホスト装置２が「ＡＣ１」のアーカイブ装置３に管理されており、「ＡＰ１」のアプリーション２３が取り扱うデータが「ＳＴ１」のストレージ装置４に格納されているため、図４６のように、「ホスト装置Ｈ１」のホスト装置表示欄２０２及び「アーカイブ装置ＡＣ１」のアーカイブ装置表示欄２０３を接続する接続線２１１、並びに「ホスト装置Ｈ１」のホスト装置表示欄２０２及び「ストレージ装置ＳＴ１」のストレージ装置表示欄２０４を接続する接続線２１１を強調表示する。
【０１５４】
図４７は、「ＡＰ１」のアプリーション２３が格納されているホスト装置２及び当該ホスト装置２を管理するアーカイブ装置３を強調表示した場合のトポロジ表示画面２００を示している。
【０１５５】
この場合、例えば、「ＡＰ１」のアプリケーション表示欄２０８上において、「ＡＰ１」のアプリケーション表示欄２０８のアプリーション２３が格納されているホスト装置２、当該ホスト装置２を管理するアーカイブ装置３を強調表示する操作がなされており、管理装置６のプロセッサ１１６は、当該操作がされた場合には、ホスト装置−アプリケーション管理テーブル４１を参照する。そして、管理装置６のプロセッサ１１６は、上述と同様に、「ＡＰ１」のアプリケーション２３が「ホスト装置Ｈ１」のホスト装置２に格納されているため、図４７のように、「ＡＰ１」のホスト表示欄２０８及び「ホスト装置Ｈ１」のホスト装置表示欄２０２を接続する接続線２１２を強調表示する。
【０１５６】
また、管理装置６のプロセッサ１１６は、アーカイブ装置−アーカイブ設定管理テーブル１２２を参照すると、上述と同様に、「ＡＰ１」のアプリーション２３が格納されているホスト装置２が「ＡＣ１」のアーカイブ装置３に管理されているため、図４７のように、「ホスト装置Ｈ１」のホスト装置表示欄２０２及び「アーカイブ装置ＡＣ１」のアーカイブ装置表示欄２０３を接続する接続線２１１を強調表示する。
【０１５７】
図４８は、「ＡＰ１」のアプリーション２３が格納されているホスト装置２及び当該アプリケーション２３が取り扱うデータが格納されているストレージ装置４を強調表示した場合のトポロジ表示画面２００を示している。
【０１５８】
この場合、例えば、「ＡＰ１」のアプリケーション表示欄２０８上において、「ＡＰ１」のアプリケーション表示欄２０８のアプリーション２３が格納されているホスト装置２及び当該アプリケーション２３が取り扱うデータが格納されているストレージ装置４を強調表示する操作がなされており、管理装置６のプロセッサ１１６は、当該操作がされた場合には、ホスト装置−アプリケーション管理テーブル４１を参照する。そして、管理装置６のプロセッサ１１６は、上述のように、「ＡＰ１」のアプリケーション２３が「ホスト装置Ｈ１」のホスト装置２に格納されているため、図４８のように、「ＡＰ１」のホスト表示欄２０８及び「ホスト装置Ｈ１」のホスト装置表示欄２０２を接続する接続線２１２を強調表示する。
【０１５９】
また、管理装置６のプロセッサ１１６は、アーカイブ装置−アーカイブ設定管理テーブル１２２を参照すると、上述と同様に、「ＡＰ１」のアプリーション２３が取り扱うデータが「ＳＴ１」のストレージ装置４に格納されているため、図４８のように、「ホスト装置Ｈ１」のホスト装置表示欄２０２及び「ストレージ装置ＳＴ１」のストレージ装置表示欄２０４を接続する接続線２１１を強調表示する。
【０１６０】
図４９は、「ＡＣ１」のアーカイブ装置３及び当該アーカイブ装置３が取り扱うストレージ装置４を強調表示した場合のトポロジ表示画面２００を示している。
【０１６１】
この場合、例えば、「アーカイブ装置ＡＣ１」のアーカイブ装置表示欄２０３上において、「ＡＣ１」のアーカイブ装置３及び当該アーカイブ装置３が取り扱うストレージ装置４を強調表示する操作がなされており、管理装置６のプロセッサ１１６は、当該操作がされた場合には、アーカイブ装置−アーカイブ設定管理テーブル１２２を参照する。そして、管理装置６のプロセッサ１１６は、「ＡＣ１」のアーカイブ装置３が「ＳＴ１」のストレージ装置４を取り扱っているため、図４９のように、「アーカイブ装置ＡＣ１」のアーカイブ装置表示欄２０３及び「ストレージ装置ＳＴ１」のストレージ装置表示欄２０４を接続する接続線２１１を強調表示する。
【０１６２】
なお、本実施の形態においては、接続線２１１、２１２を太く表示することにより強調表示した場合について述べたが、本発明はこれに限らず、例えば、接続線２１１、２１２を点滅表示したり、異なる色で表示したりする等、この他種々の方法で強調表示するようにしても良い。
【０１６３】
このようにしてストレージシステム１では、管理装置６において、当該管理装置６にＬＡＮ７を介して接続されている各ホスト装置２、各アーカイブ装置３、各ストレージ装置４及びストレージ管理装置５との接続関係、各ホスト装置２と当該各ホスト装置２に格納されているアプリケーション２３との格納関係を参照し、対応する接続関係及び又は格納関係を強調表示させることにより、所定のアプリケーション２３と装置間、又は所定の装置間について確認する場合にも、管理者に接続関係及び又は格納関係を容易に認識させることができ、各ホスト装置２、各アーカイブ装置３、各ストレージ装置４及びストレージ管理装置５を一段と容易に管理することができる。
【０１６４】
（４−５）同一データタイプ設定情報表示処理
図５０は、このストレージシステム１における管理装置６の同一データタイプ設定情報表示処理に関する、管理装置６のプロセッサ１１６の具体的な処理手順を示したフローチャートの一例である。
【０１６５】
管理装置６のプロセッサ１１６は、図３６に示すトポロジ表示処理ＲＴ１を終了した場合（ＳＰ５）には、同一のデータタイプのアプリケーション２３の設定情報のみを表示する同一データタイプ設定情報表示処理プログラム１４５を実行することにより、図５０に示す同一データタイプ設定情報表示処理手順ＲＴ１０に従って、管理装置６の管理者による操作部の操作により、トポロジ表示画面２００のホスト装置表示欄２０２上で所定の操作がされるのを待機モードで待ち受ける（ＳＰ１０１）。例えば、管理装置６のプロセッサ１１６は、ホスト装置表欄２０２上でいわゆる「右クリック」操作がされるのを待ち受ける。
【０１６６】
やがて、管理装置６のプロセッサ１１６は、管理装置６の管理者による操作部の操作により、トポロジ表示画面２００のホスト装置表欄２０２上で所定の操作がされた場合（ＳＰ１０１：ＹＥＳ）には、図３１に示したように、例えば、所定の操作がされたホスト表示欄の上側に選択データタイプ表示欄２８０を表示する（ＳＰ１０２）。
【０１６７】
続いて、管理装置６のプロセッサ１１６は、管理装置６の管理者による操作部の操作により、選択データタイプ表示欄２８０に表示されているいずれかのデータタイプが選択されるのを待機モードで待ち受ける（ＳＰ１０３）。
【０１６８】
やがて、管理装置６のプロセッサ１１６は、管理装置６の管理者による操作部の操作により、選択データタイプ表示欄２８０に表示されているいずれかのデータタイプが選択された場合（ＳＰ１０３：ＹＥＳ）には、選択されたデータタイプを変更データタイプ一時格納テーブル１２８の変更データタイプ欄１２８Ａに格納する（ＳＰ１０４）。
【０１６９】
続いて、管理装置６のプロセッサ１１６は、アプリケーション属性管理テーブル１２４を参照し、変更データタイプ一時格納テーブル１２８の変更データタイプ欄１２８Ａに格納されたデータタイプと一致する、データタイプ欄１２４Ｆに格納されているデータタイプに対応するアプリケーション番号のアプリケーション２３の設定情報表示欄２０９のみをトポロジ表示画面２００上に表示し（ＳＰ１０５）、この後、この図５０に示す同一データタイプ設定情報表示処理手順ＲＴ１０を終了する（ＳＰ１０６）。
【０１７０】
図５１は、「メールデータ」のデータタイプが選択された場合のトポロジ表示画面２００を示している。この場合、管理装置６のプロセッサ１１６は、アプリケーション属性管理テーブル１２４を参照すると、データタイプ欄１２４Ｆに「メールデータ」のデータタイプが格納されているのは「ＡＰ１」、「ＡＰ３」及び「ＡＰ５」のアプリケーション２３であるため、「ＡＰ１」、「ＡＰ３」及び「ＡＰ５」のアプリケーション２３の設定情報表示欄２０９をトポロジ表示画面２００上に表示する。
【０１７１】
このようにしてストレージシステム１では、管理装置６において、アプリケーション属性管理テーブル１２４を参照し、変更データタイプ一時格納テーブル１２８の変更データタイプ欄１２８Ａに格納されたデータタイプと一致するか否かを判断し、同一のデータタイプのアプリケーション２３の設定情報のみを表示させることにより、同一のデータタイプのアプリケーション２３設定情報のみを確認する場合にも、管理者に当該設定情報を容易に認識させることができ、各ホスト装置２、各アーカイブ装置３、各ストレージ装置４及びストレージ管理装置５を一段と容易に管理することができる。
【０１７２】
（４−６）アプリケーションデータ移動処理
図５２は、このストレージシステム１における管理装置６のアプリケーションデータ移動処理に関する、管理装置６のプロセッサ１１６の具体的な処理手順を示したフローチャートの一例である。
【０１７３】
管理装置６のプロセッサ１１６は、図３６に示すトポロジ表示処理ＲＴ１を終了した場合（ＳＰ５）には、アプリケーション２３が取り扱うデータを格納するストレージ装置４を移動するアプリケーションデータ移動処理プログラム１４６を実行することにより、図５２に示すアプリケーションデータ移動手順ＲＴ１１に従って、管理装置６の管理者による操作部の操作により、トポロジ表示画面２００のストレージ装置表欄２０４上で所定の操作がされるのを待機モードで待ち受ける（ＳＰ１１１）。例えば、管理装置６のプロセッサ１１６は、移動元のストレージ装置表示欄２０４から移動先のストレージ装置表示欄２０４にいわゆる「ドラッグ＆ドロップ」操作がされるのを待ち受ける。
【０１７４】
やがて、管理装置６のプロセッサ１１６は、管理装置６の管理者による操作部の操作により、トポロジ表示画面２００のストレージ装置表欄２０４上で所定の操作がされた場合（ＳＰ１１１：ＹＥＳ）には、表示装置１１９の表示画面１１９Ａにおけるトポロジ表示画面２００上に図３２に示した移動アプリケーション一覧表示欄２９０を表示する（ＳＰ１１２）。
【０１７５】
続いて、管理装置６のプロセッサ１１６は、管理装置６の管理者による操作部の操作により、移動アプリケーション一覧表示欄２９０の移動アプリケーションチェック欄２９１がチェックされることにより、アプリケーション２３が取り扱うデータを格納するストレージ装置４を移動するアプリケーション番号が選択されて、その後、ＯＫボタン２９３が選択されるのを待機モードで待ち受ける（ＳＰ１１３）。
【０１７６】
やがて、管理装置６のプロセッサ１１６は、管理装置６の管理者による操作部の操作により、移動アプリケーション一覧表示欄２９０の移動アプリケーションチェック欄２９１がチェックされることにより、アプリケーション２３が取り扱うデータを格納するストレージ装置４を移動するアプリケーション番号が選択されて、その後、ＯＫボタン２９３が選択された場合（ＳＰ１１３：ＹＥＳ）には、選択された、アプリケーション２３が取り扱うデータを格納するストレージ装置４を移動するアプリケーション番号を図２１に示した移動先ストレージ装置一時格納テーブル１２９のアプリケーション番号欄１２９Ａに格納すると共に、所定の操作がされた移動先のストレージ装置４のストレージ番号を、対応する移動先ストレージ装置一時格納テーブル１２９の移動先ストレージ装置番号欄１２９Ｂに格納する（ＳＰ１１４）。
【０１７７】
続いて、管理装置６のプロセッサ１１６は、管理装置側ストレージ装置変更処理を実行する（ＲＴ７）。
【０１７８】
図５３は、このストレージシステム１における管理装置６の管理装置側ストレージ装置変更処理に関する、管理装置６のプロセッサ１１６の具体的な処理手順を示したフローチャートの一例である。
【０１７９】
管理装置６のプロセッサ１１６は、選択された、アプリケーション２３が取り扱うデータを格納するストレージ装置４を移動するアプリケーション番号を図２１に示した移動先ストレージ装置一時格納テーブル１２９のアプリケーション番号欄１２９Ａに格納すると共に、所定の操作がされた移動先のストレージ装置４のストレージ番号を、対応する移動先ストレージ装置一時格納テーブル１２９の移動先ストレージ装置番号欄１２９Ｂに格納した場合（ＳＰ１１４）には、図５３に示す管理装置側ストレージ装置更処理手順ＲＴ１２に従って、移動先ストレージ装置一時格納テーブル１２９のアプリケーション番号欄１２９Ａに格納したアプリケーション番号を選択する（ＳＰ１２１）。
【０１８０】
続いて、管理装置６のプロセッサ１１６は、選択したアプリケーション番号に対応するアーカイブ装置−アーカイブ設定管理テーブル１２２のストレージ装置欄１２２Ｅに格納されているストレージ装置番号を、選択したアプリケーション番号に対応する移動先ストレージ装置一時格納テーブル１２９の移動先ストレージ装置欄１２９Ｂに格納されているストレージ装置番号に変更する（ＳＰ１２２）。
【０１８１】
続いて、管理装置６のプロセッサ１１６は、移動先ストレージ装置一時格納テーブル１２９のアプリケーション番号欄１２９Ａに格納したすべてのアプリケーション番号が選択されたか否かをチェックする（ＳＰ１２３）。
【０１８２】
そして、管理装置６のプロセッサ１１６は、移動先ストレージ装置一時格納テーブル１２９のアプリケーション番号欄１２９Ａに格納したすべてのアプリケーション番号が選択されていない場合（ＳＰ１２３：ＮＯ）には、移動先ストレージ装置一時格納テーブル１２９のアプリケーション番号欄１２９Ａに格納したアプリケーション番号のうち未選択のアプリケーション番号を選択し（ＳＰ１２４）、この後、再び、選択したアプリケーション番号に対応するアーカイブ装置−アーカイブ設定管理テーブル１２２のストレージ装置欄１２２Ｅに格納されているストレージ装置番号を、選択したアプリケーション番号に対応する移動先ストレージ装置一時格納テーブル１２９の移動先ストレージ装置欄１２９Ｂに格納されているストレージ装置番号に変更するステップＳＰ１２２に戻り、この後、同様の処理を繰り返す（ＳＰ１２２〜ＳＰ１２３）。
【０１８３】
これに対して、管理装置６のプロセッサ１１６は、移動先ストレージ装置一時格納テーブル１２９のアプリケーション番号欄１２９Ａに格納したすべてのアプリケーション番号が選択された場合（ＳＰ１２３：ＹＥＳ）には、この後、この図５３に示す管理装置側ストレージ装置更処理手順ＲＴ１２を終了する（ＳＰ１２５）。
【０１８４】
続いて、管理装置６のプロセッサ１１６は、図５３に示す管理装置側ストレージ装置更処理手順ＲＴ１２が終了した場合（ＳＰ１２５）には、アーカイブ装置側ストレージ装置変更処理を実行する（ＲＴ１３）。
【０１８５】
図５４は、このストレージシステム１における管理装置６のアーカイブ装置側ストレージ装置変更処理に関する、管理装置６のプロセッサ１１６の具体的な処理手順を示したフローチャートの一例である。
【０１８６】
管理装置６のプロセッサ１１６は、図５３に示す管理装置側ストレージ装置変更処理手順ＲＴ１２が終了した場合（ＳＰ１２５）には、図５４に示すアーカイブ装置側ストレージ装置変更処理手順ＲＴ１３に従って、移動先ストレージ装置一時格納テーブル１２９のアプリケーション番号欄１２９Ａに格納したアプリケーション番号を選択する（ＳＰ１３１）。
【０１８７】
続いて、管理装置６のプロセッサ１１６は、図１４に示したアーカイブ装置−アーカイブ設定管理テーブル１２２を参照し、選択したアプリケーション番号のアプリケーション２３を管理するアーカイブ装置３に接続を要求する（ＳＰ１３２）。この場合、管理装置６のプロセッサ１１６は、アーカイブ装置パスワード管理テーブル１２５を参照し、選択したアプリケーション番号のアプリケーション２３を管理するアーカイブ装置３のアーカイブ装置番号を選択し、対応するユーザＩＤ及びパスワードを含んだ接続要求を送信することにより、接続を要求する。
【０１８８】
続いて、管理装置６のプロセッサ１１６は、接続を要求したアーカイブ装置３から接続許可通知が受信されたか否かをチェックする（ＳＰ１３３）。例えば、管理装置６のプロセッサ１１６は、接続要求を送信してから所定期間内に接続を要求したアーカイブ装置３から接続許可通知が受信されたか否かにより、接続を要求したアーカイブ装置３から接続許可通知が受信されたか否かをチェックする。
【０１８９】
そして、管理装置６のプロセッサ１１６は、接続を要求したアーカイブ装置３から接続許可通知が受信されない場合（ＳＰ１３３：ＮＯ）には、エラーとして、この図５４に示すアーカイブ装置側ストレージ装置変更処理手順ＲＴ１３を終了し（ＳＰ１３７）、この後、図５２に示すアプリケーションデータ移動手順ＲＴ１１を終了する（ＳＰ１１５）。例えば、ユーザＩＤ又はパスワードが異なっている等の場合には、接続不許可通知が受信され、接続許可通知が受信されないこととなる。
【０１９０】
これに対して、管理装置６のプロセッサ１１６は、接続を要求したアーカイブ装置３から接続許可通知が受信された場合（ＳＰ１３３：ＹＥＳ）には、選択したアプリケーション番号に対応するアプリケーション−アーカイブ設定管理テーブル４２のストレージ装置番号欄４２Ｄに格納されているストレージ装置番号を、選択したアプリケーション番号に対応する移動先ストレージ装置一時格納テーブル１２９の移動先ストレージ装置欄１２９Ｂに格納されているストレージ装置番号に変更する（ＳＰ１３４）。具体的に、管理装置６のプロセッサ１１６は、選択したアプリケーション番号に対応する移動先ストレージ装置一時格納テーブル１２９の移動先ストレージ装置欄１２９Ｂに格納されているストレージ装置番号に変更する変更要求を、接続を要求したアーカイブ装置３に送信する。そして、アーカイブ装置３は、当該変更要求を受信すると、選択したアプリケーション番号に対応するアプリケーション−アーカイブ設定管理テーブル４２のストレージ装置番号欄４２Ｄに格納されている保存年数を変更する。
【０１９１】
続いて、管理装置６のプロセッサ１１６は、移動先ストレージ装置一時格納テーブル１２９のアプリケーション番号欄１２９Ａに格納したすべてのアプリケーション番号が選択されたか否かをチェックする（ＳＰ１３５）。
【０１９２】
そして、管理装置６のプロセッサ１１６は、移動先ストレージ装置一時格納テーブル１２９のアプリケーション番号欄１２９Ａに格納したすべてのアプリケーション番号が選択されていない場合（ＳＰ１３５：ＮＯ）には、移動先ストレージ装置一時格納テーブル１２９のアプリケーション番号欄１２９Ａに格納したアプリケーション番号のうち未選択のアプリケーション番号を選択し（ＳＰ１３６）、この後、再び、図１４に示したアーカイブ装置−アーカイブ設定管理テーブル１２２を参照し、選択したアプリケーション番号のアプリケーション２３を管理するアーカイブ装置３に接続を要求するステップＳＰ１３２に戻り、この後、同様の処理を繰り返す（ＳＰ１３２〜ＳＰ１３５）。
【０１９３】
これに対して、管理装置６のプロセッサ１１６は、移動先ストレージ装置一時格納テーブル１２９のアプリケーション番号欄１２９Ａに格納したすべてのアプリケーション番号が選択された場合（ＳＰ１３５：ＹＥＳ）には、この後、この図５４に示すアーカイブ装置側ストレージ装置変更処理手順ＲＴ１３を終了する（ＳＰ１３７）。
【０１９４】
やがて、管理装置６のプロセッサ１１６は、図５４に示すアーカイブ装置側ストレージ装置変更処理手順ＲＴ１３が終了した場合（ＳＰ１３７）には、この後、この図５２に示すアプリケーションデータ移動手順ＲＴ１１を終了する（ＳＰ１１５）。
【０１９５】
図５５〜図５７は、「ストレージ装置ＳＴ４」のストレージ装置表示欄２０４から「ストレージ装置ＳＴ１」のストレージ装置表示欄２０４にいわゆる「ドラッグ＆ドロップ」操作がされた場合のトポロジ表示画面２００を示している。「ＳＴ４」のストレージ装置４には、ＷＯＲＭ設定機能を有しておらず、法改正等により、ＷＯＲＭ設定が必要になった場合等のときが考えられる。
【０１９６】
この場合、管理装置６のプロセッサ１１６は、「ＳＴ４」のストレージ装置４に格納されている、選択されたアプリケーション２３が取り扱うデータを「ＳＴ１」のストレージ装置４を変更する。
【０１９７】
このようにしてストレージシステム１では、管理装置６において、当該管理装置６にＬＡＮ７を介して接続されている各ホスト装置２、各アーカイブ装置３、各ストレージ装置４及びストレージ管理装置５との接続関係を参照し、アプリケーション２３が取り扱うデータが格納されている移動元のストレージ装置番号を、移動先のストレージ装置番号に変更することにより、新たに規制法律が発行された場合や規制法律の改正等により新たにデータを保存しておかなければならなくなった場合にも、それぞれの装置においてデータの移動作業をするという煩雑な作業を管理者にさせることなく、対応するホスト装置２、アーカイブ装置３、ストレージ装置４及びストレージ管理装置５にもストレージ装置４の変更を反映することができると共に、対応するストレージ装置４にデータを移動することができ、各ホスト装置２、各アーカイブ装置３、各ストレージ装置４及びストレージ管理装置５を一段と容易に管理することができる。
【０１９８】
なお、ホスト装置２とアーカイブ装置３間、アーカイブ装置３及びストレージ装置４間並びにストレージ装置４及びストレージ管理装置５間の情報反映及び移動指示に基づくストレージ装置４間でのデータの移動については、従来技術により実現することができる。
【０１９９】
（４−７）保存年数手動変更処理
図５８は、このストレージシステム１における管理装置６の保存年数手動変更処理に関する、管理装置６のプロセッサ１１６の具体的な処理手順を示したフローチャートの一例である。
【０２００】
管理装置６のプロセッサ１１６は、図３６に示すトポロジ表示処理ＲＴ１を終了した場合（ＳＰ５）には、アプリケーション２３が取り扱うデータの保存年数を手動で変更する保存年数手動変更処理プログラム１４７を実行することにより、図５８に示す保存年数手動変更処理手順ＲＴ１４に従って、管理装置６の管理者による操作部の操作により、トポロジ表示画面２００のアプリケーション表示欄２０８上で所定の操作がされるのを待機モードで待ち受ける（ＳＰ１４１）。例えば、管理装置６のプロセッサ１１６は、アプリケーション表示欄２０８上でいわゆる「右クリック」操作がされるのを待ち受ける。
【０２０１】
やがて、管理装置６のプロセッサ１１６は、管理装置６の管理者による操作部の操作により、トポロジ表示画面２００のアプリケーション表示欄２０８上で所定の操作がされた場合（ＳＰ１４１：ＹＥＳ）には、表示装置１１９の表示画面１１９Ａにおけるトポロジ表示画面２００上に図３３に示したように、例えば、所定の操作がされたアプリケーション表示欄２０８の上側に保存年数手動変更表示ボタン３００を表示する（ＳＰ６１）。
【０２０２】
続いて、管理装置６のプロセッサ１１６は、管理装置６の管理者による操作部の操作により、保存年数手動変更ボタン３０１又は保存年数手動一括変更ボタン３０２が選択されるのを待機モードで待ち受ける（ＳＰ１４３）。
【０２０３】
やがて、管理装置６のプロセッサ１１６は、管理装置６の管理者による操作部の操作により、保存年数手動変更ボタン３０１又は保存年数手動一括変更ボタン３０２が選択された場合（ＳＰ１４３：ＹＥＳ）には、保存年数手動変更ボタン３０１又は保存年数手動一括変更ボタン３０２のうち保存年数手動変更ボタン３０１が選択されたか否かをチェックする（ＳＰ１４４）。
【０２０４】
そして、管理装置６のプロセッサ１１６は、保存年数手動変更ボタン３０１又は保存年数手動一括変更ボタン３０２のうち保存年数手動変更ボタン３０１が選択された場合（ＳＰ１４４：ＹＥＳ）には、表示装置１１９の表示画面１１９Ａにおけるトポロジ表示画面２００上に図３４に示した保存年数入力表示欄３１０を表示する（ＳＰ１４５）。
【０２０５】
続いて、管理装置６のプロセッサ１１６は、保存年数入力表示欄３１０の保存年数入力欄３１１に保存年数が入力され、ＯＫボタン３１３が選択されるのを待機モードで待ち受ける（ＳＰ１４６）。
【０２０６】
やがて、管理装置６のプロセッサ１１６は、保存年数入力表示欄３１０の保存年数入力欄３１１に保存年数が入力され、ＯＫボタン３１３が選択された場合（ＳＰ１４６：ＹＥＳ）には、所定の操作がされたアプリケーション表示欄２０８のアプリケーション番号を手動変更保存年数一時格納テーブル１３０のアプリケーション番号欄１３０Ａに格納すると共に、入力された保存年数を、対応する手動変更保存年数一時格納テーブル１３０の変更保存年数欄１３０Ｃに格納する（ＳＰ１４７）。
【０２０７】
続いて、管理装置６のプロセッサ１１６は、管理装置側保存年数手動変更処理を実行する（ＲＴ１５）。
【０２０８】
図５９は、このストレージシステム１における管理装置６の管理装置側保存年数手動変更処理に関する、管理装置６のプロセッサ１１６の具体的な処理手順を示したフローチャートの一例である。
【０２０９】
管理装置６のプロセッサ１１６は、所定の操作がされたアプリケーション表示欄２０８のアプリケーション番号を手動変更保存年数一時格納テーブル１３０のアプリケーション番号欄１３０Ａに格納すると共に、入力された保存年数を、対応する手動変更保存年数一時格納テーブル１３０の変更保存年数欄１３０Ｃに格納した場合（ＳＰ１４７）には、図５９に示す管理装置側保存年数手動変更処理手順ＲＴ１５に従って、手動変更保存年数一時格納テーブル１３０のアプリケーション番号欄１３０Ａに格納したアプリケーション番号に対応するアーカイブ装置−アーカイブ設定管理テーブル１２２の保存年数欄１２２Ｄに格納されている保存年数を、当該アプリケーション番号に対応する手動変更保存年数一時格納テーブル１３０の変更保存年数欄１３０Ｃに格納されている保存年数に変更する（ＳＰ１６１）。
【０２１０】
続いて、管理装置６のプロセッサ１１６は、手動変更保存年数一時格納テーブル１３０のアプリケーション番号欄１３０Ａに格納したアプリケーション番号に対応するアプリケーション属性管理テーブル１２４の保存年数欄１２４Ｂに格納されている保存年数を、当該アプリケーション番号に対応する手動変更保存年数一時格納テーブル１３０の変更保存年数欄１３０Ｃに格納されている保存年数に変更する（ＳＰ１６２）。
【０２１１】
やがて、管理装置６のプロセッサ１１６は、この後、この図５９に示す管理装置側保存年数手動変更処理手順ＲＴ１５を終了する（ＳＰ１６３）。
【０２１２】
続いて、管理装置６のプロセッサ１１６は、アーカイブ装置側保存年数手動変更処理を実行する（ＲＴ１６）。
【０２１３】
図６０は、このストレージシステム１における管理装置６のアーカイブ装置側保存年数手動変更処理に関する、管理装置６のプロセッサ１１６の具体的な処理手順を示したフローチャートの一例である。
【０２１４】
管理装置６のプロセッサ１１６は、図５９に示す管理装置側保存年数手動変更処理手順ＲＴ１５が終了した場合（ＳＰ１６３）には、図６０に示すアーカイブ装置側保存年数手動変更処理手順ＲＴ１６に従って、図１４に示したアーカイブ装置−アーカイブ設定管理テーブル１２２を参照し、手動変更保存年数一時格納テーブル１３０のアプリケーション番号欄１３０Ａに格納したアプリケーション番号のアプリケーション２３を管理するアーカイブ装置３に接続を要求する（ＳＰ１７１）。
【０２１５】
続いて、管理装置６のプロセッサ１１６は、接続を要求したアーカイブ装置３から接続許可通知が受信されたか否かをチェックする（ＳＰ１７２）。
【０２１６】
そして、管理装置６のプロセッサ１１６は、接続を要求したアーカイブ装置３から接続許可通知が受信されない場合（ＳＰ１７２：ＮＯ）には、エラーとして、この図６０に示すアーカイブ装置側保存年数手動変更処理手順ＲＴ１６を終了し（ＳＰ１７４）、この後、図５８に示す保存年数手動変更処理手順ＲＴ１４を終了する（ＳＰ１５３）。
【０２１７】
これに対して、管理装置６のプロセッサ１１６は、接続を要求したアーカイブ装置３から接続許可通知が受信された場合（ＳＰ１７２：ＹＥＳ）には、手動変更保存年数一時格納テーブル１３０のアプリケーション番号欄１３０Ａに格納したアプリケーション番号に対応するアプリケーション−アーカイブ設定管理テーブル４２の保存年数欄４２Ｃに格納されている保存年数を、当該アプリケーション番号に対応する手動変更保存年数一時格納テーブル１３０の変更保存年数欄１３０Ｃに格納されている保存年数に変更する（ＳＰ１７３）。具体的に、管理装置６のプロセッサ１１６は、手動変更保存年数一時格納テーブル１３０のアプリケーション番号欄１３０Ａに格納したアプリケーション番号に対応する変更保存年数欄１３０Ｃに格納されている保存年数に変更する変更要求を、接続を要求したアーカイブ装置３に送信する。そして、アーカイブ装置３は、当該変更要求を受信すると、手動変更保存年数一時格納テーブル１３０のアプリケーション番号欄１３０Ａに格納したアプリケーション番号に対応するアプリケーション−アーカイブ設定管理テーブル４２の保存年数欄４２Ｃに格納されている保存年数を変更する。
【０２１８】
やがて、管理装置６のプロセッサ１１６は、この後、この図６０に示すアーカイブ装置側保存年数手動変更処理手順ＲＴ１６を終了する（ＳＰ１７４）。
【０２１９】
これに対して、管理装置６のプロセッサ１１６は、保存年数手動変更ボタン３０１又は保存年数手動一括変更ボタン３０２のうち保存年数手動変更ボタン３０１が選択されなかった、すなわち、保存年数手動一括変更ボタン３０２が選択された場合（ＳＰ１４４：ＮＯ）には、表示装置１１９の表示画面１１９Ａにおけるトポロジ表示画面２００上に図３５に示したデータタイプ変更表示欄３２０を表示する（ＳＰ１４８）。
【０２２０】
続いて、管理装置６のプロセッサ１１６は、管理装置６の管理者による操作部の操作により、データタイプ変更表示欄３２０に表示されているいずれかのデータタイプが選択されるのを待機モードで待ち受ける（ＳＰ１４９）。
【０２２１】
やがて、管理装置６のプロセッサ１１６は、管理装置６の管理者による操作部の操作により、データタイプ変更表示欄３２０に表示されているいずれかのデータタイプが選択された場合（ＳＰ１４９：ＹＥＳ）には、表示装置１１９の表示画面１１９Ａにおけるトポロジ表示画面２００上に図３４に示した保存年数入力表示欄３１０を表示する（ＳＰ１５０）。
【０２２２】
続いて、管理装置６のプロセッサ１１６は、保存年数入力表示欄３１０の保存年数入力欄３１１に保存年数が入力され、ＯＫボタン３１３が選択されるのを待機モードで待ち受ける（ＳＰ１５１）。
【０２２３】
やがて、管理装置６のプロセッサ１１６は、保存年数入力表示欄３１０の保存年数入力欄３１１に保存年数が入力され、ＯＫボタン３１３が選択された場合（ＳＰ１５１：ＹＥＳ）には、選択されたデータタイプを手動変更保存年数一時格納テーブル１３０のデータタイプ欄１３０Ｂに格納すると共に、入力した保存年数を手動変更保存年数一時格納テーブル１３０の保存年数欄１３０Ｃに格納する（ＳＰ１５２）。
【０２２４】
続いて、管理装置６のプロセッサ１１６は、管理装置側保存年数手動一括変更処理を実行する（ＲＴ１７）。
【０２２５】
図６１は、このストレージシステム１における管理装置６の管理装置側保存年数手動一括変更処理に関する、管理装置６のプロセッサ１１６の具体的な処理手順を示したフローチャートの一例である。
【０２２６】
管理装置６のプロセッサ１１６は、選択されたデータタイプを手動変更保存年数一時格納テーブル１３０のデータタイプ欄１３０Ｂに格納すると共に、入力した保存年数を手動変更保存年数一時格納テーブル１３０の保存年数欄１３０Ｃに格納した場合（ＳＰ１５２）には、図６１に示す管理装置側保存年数手動一括変更処理手順ＲＴ１７に従って、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号を選択する（ＳＰ１８１）。
【０２２７】
続いて、管理装置６のプロセッサ１１６は、アーカイブ装置−アーカイブ設定管理テーブル１２２のアプリケーション番号欄１２２Ｂに格納されているアプリケーション番号に対応するアーカイブ装置−アーカイブ設定管理テーブル１２２の保存年数欄１２２Ｄに格納されている保存年数を、手動変更保存年数一時格納テーブル１３０のデータタイプ欄１３０Ｂに格納したデータタイプに対応する手動変更保存年数一時格納テーブル１３０の変更保存年数欄１３０Ｃに格納されている保存年数に変更する（ＳＰ１８２）。
【０２２８】
続いて、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択されたか否かをチェックする（ＳＰ１８３）。
【０２２９】
そして、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択されていない場合（ＳＰ１８３：ＮＯ）には、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号のうち未選択のアプリケーション番号を選択し（ＳＰ１８４）、この後、再び、アーカイブ装置−アーカイブ設定管理テーブル１２２のアプリケーション番号欄１２２Ｂに格納されているアプリケーション番号に対応するアーカイブ装置−アーカイブ設定管理テーブル１２２の保存年数欄１２２Ｄに格納されている保存年数を、手動変更保存年数一時格納テーブル１３０のデータタイプ欄１３０Ｂに格納したデータタイプに対応する手動変更保存年数一時格納テーブル１３０の変更保存年数欄１３０Ｃに格納されている保存年数に変更するステップＳＰ１８２に戻り、この後、同様の処理を繰り返す（ＳＰ１８２、ＳＰ１８３）。
【０２３０】
これに対して、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択された場合（ＳＰ１８３：ＹＥＳ）には、手動変更保存年数一時格納テーブル１３０のデータタイプ欄１３０Ｂに格納したデータタイプに対応するアプリケーション属性管理テーブル１２４のアプリケーション番号欄１２４Ａに格納されているアプリケーション番号を選択する（ＳＰ１８５）。
【０２３１】
続いて、管理装置６のプロセッサ１１６は、アプリケーション属性管理テーブル１２４のアプリケーション番号欄１２４Ａに格納されているアプリケーション属性管理テーブル１２４の保存年数欄１２４Ｂに格納されている保存年数を、手動変更保存年数一時格納テーブル１３０のデータタイプ欄１３０Ｂに格納したデータタイプに対応する手動変更保存年数一時格納テーブル１３０の変更保存年数欄１３０Ｃに格納されている保存年数に変更する（ＳＰ１８６）。
【０２３２】
続いて、管理装置６のプロセッサ１１６は、手動変更保存年数一時格納テーブル１３０のデータタイプ欄１３０Ｂに格納したデータタイプに対応するアプリケーション属性管理テーブル１２４のアプリケーション番号欄１２４Ａに格納されているすべてのアプリケーション番号が選択されたか否かをチェックする（ＳＰ１８７）。
【０２３３】
そして、管理装置６のプロセッサ１１６は、手動変更保存年数一時格納テーブル１３０のデータタイプ欄１３０Ｂに格納したデータタイプに対応するアプリケーション属性管理テーブル１２４のアプリケーション番号欄１２４Ａに格納されているすべてのアプリケーション番号が選択されていない場合（ＳＰ１８７：ＮＯ）には、手動変更保存年数一時格納テーブル１３０のデータタイプ欄１３０Ｂに格納したデータタイプに対応するアプリケーション属性管理テーブル１２４のアプリケーション番号欄１２４Ａに格納されているアプリケーション番号のうち未選択のアプリケーション番号を選択し（ＳＰ１８８）、この後、再び、アプリケーション属性管理テーブル１２４のアプリケーション番号欄１２４Ａに格納されているアプリケーション番号に対応するアプリケーション属性管理テーブル１２４の保存年数欄１２４Ｂに格納されている保存年数を、手動変更保存年数一時格納テーブル１３０のデータタイプ欄１３０Ｂに格納したデータタイプに対応する手動変更保存年数一時格納テーブル１３０の変更保存年数欄１３０Ｃに格納されている保存年数に変更するステップＳＰ１８６に戻り、この後、同様の処理を繰り返す（ＳＰ１８６、ＳＰ１８７）。
【０２３４】
これに対して、管理装置６のプロセッサ１１６は、手動変更保存年数一時格納テーブル１３０のデータタイプ欄１３０Ｂに格納したデータタイプに対応するアプリケーション属性管理テーブル１２４のアプリケーション番号欄１２４Ａに格納されているすべてのアプリケーション番号が選択された場合（ＳＰ１８７：ＹＥＳ）には、この後、この図６１に示す管理装置側保存年数手動一括変更処理手順ＲＴ１７を終了する（ＳＰ１８９）。
【０２３５】
続いて、管理装置６のプロセッサ１１６は、アーカイブ装置側保存年数手動一括変更処理を実行する（ＲＴ１８）。
【０２３６】
図６２は、このストレージシステム１における管理装置６のアーカイブ装置側保存年数手動一括変更処理に関する、管理装置６のプロセッサ１１６の具体的な処理手順を示したフローチャートの一例である。
【０２３７】
管理装置６のプロセッサ１１６は、図６１に示す管理装置側保存年数手動一括変更処理手順ＲＴ１７が終了した場合（ＳＰ１８９）には、図６２に示すアーカイブ装置側保存年数手動一括変更処理手順ＲＴ１８に従って、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号を選択する（ＳＰ１９１）。
【０２３８】
続いて、管理装置６のプロセッサ１１６は、選択したアプリケーション番号のアプリケーション２３を管理するアーカイブ装置３に接続を要求する（ＳＰ１９２）。
【０２３９】
続いて、管理装置６のプロセッサ１１６は、接続を要求したアーカイブ装置３から接続許可通知が受信されたか否かをチェックする（ＳＰ１９３）。
【０２４０】
そして、管理装置６のプロセッサ１１６は、接続を要求したアーカイブ装置３から接続許可通知が受信されない場合（ＳＰ１９３：ＮＯ）には、エラーとして、この図６２に示すアーカイブ装置側保存年数手動一括変更処理手順ＲＴ１８を終了し（ＳＰ１９７）、この後、図５８に示す保存年数手動変更処理手順ＲＴ１４を終了する（ＳＰ１５３）。
【０２４１】
これに対して、管理装置６のプロセッサ１１６は、接続を要求したアーカイブ装置３から接続許可通知が受信された場合（ＳＰ１９３：ＹＥＳ）には、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号に対応するアプリケーション−アーカイブ設定管理テーブル４２の保存年数欄４２Ｃに格納されている保存年数を、手動変更保存年数一時格納テーブル１３０のデータタイプ欄１３０Ｂに格納したデータタイプに対応する手動変更保存年数一時格納テーブル１３０の変更保存年数欄１３０Ｃに格納されている保存年数に変更する（ＳＰ１９４）。具体的に、管理装置６のプロセッサ１１６は、手動変更保存年数一時格納テーブル１３０のデータタイプ欄１３０Ｂに格納したデータタイプに対応する変更保存年数欄１３０Ｃに格納されている保存年数に変更する変更要求を、接続を要求したアーカイブ装置３に送信する。そして、アーカイブ装置３は、当該変更要求を受信すると、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号に対応するアプリケーション−アーカイブ設定管理テーブル４２の保存年数欄４２Ｃに格納されている保存年数を変更する。
【０２４２】
続いて、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択されたか否かをチェックする（ＳＰ１９５）。
【０２４３】
そして、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択されていない場合（ＳＰ１９５：ＮＯ）には、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているアプリケーション番号のうち未選択のアプリケーション番号を選択し（ＳＰ１９６）、この後、再び、選択したアプリケーション番号のアプリケーション２３を管理するアーカイブ装置３に接続を要求するステップＳＰ１９２に戻り、この後、同様の処理を繰り返す（ＳＰ１９２〜ＳＰ１９５）。
【０２４４】
これに対して、管理装置６のプロセッサ１１６は、手動変更保存年数一時格納テーブル１３０のデータタイプ欄１３０Ｂに格納したデータタイプに対応するアーカイブ装置−アーカイブ設定管理テーブル１２２のアプリケーション番号欄１２２Ｂに格納されているすべてのアプリケーション番号が選択された場合（ＳＰ１９５：ＹＥＳ）には、この後、この図６２に示すアーカイブ装置側保存年数手動一括変更処理手順ＲＴ１８を終了する（ＳＰ１９７）。
【０２４５】
このようにしてストレージシステム１では、管理装置６において、保存年数入力表示欄３１０の保存年数入力欄３１１への保存年数の入力に基づいて、現在の保存年数を変更することにより、保存年数を入力する場合にもそれぞれの装置において保存年数も変更するという煩雑な作業を管理者にさせることなく、対応するホスト装置２、アーカイブ装置３、ストレージ装置４及びストレージ管理装置５にも保存年数の変更を反映することができ、各ホスト装置２、各アーカイブ装置３、各ストレージ装置４及びストレージ管理装置５を一段と容易に管理することができる。
【０２４６】
（４−８）相違保存年数強調表示処理
図６３は、このストレージシステム１における管理装置６の保存年数一致確認処理に関する、管理装置６のプロセッサ１１６の具体的な処理手順を示したフローチャートの一例である。
【０２４７】
管理装置６のプロセッサ１１６は、トポロジ表示画面２００が表示されると、アプリケーション２３が取り扱うデータを保存すべき保存年数と、規制法律の保存年数とが一致するか否かを確認し、相違する保存年数の設定情報表示欄２０９を強調表示する相違保存年数強調表示処理プログラム１４８を実行することにより、図６３に示す保存年数一致確認処理手順ＲＴ１９に従って、管理装置６の管理者による操作部の操作により、相違保存年数強調表示操作がされるのを待機モードで待ち受ける（ＳＰ２０１）。
【０２４８】
やがて、管理装置６のプロセッサ１１６は、管理装置６の管理者による操作部の操作により、相違保存年数表示操作がされた場合（ＳＰ２０１：ＹＥＳ）には、アプリケーション属性管理テーブル１２４のアプリケーション欄１２４Ａに格納されているアプリケーション番号を選択する（ＳＰ２０２）。
【０２４９】
続いて、管理装置６のプロセッサ１１６は、アプリケーション属性管理テーブル１２４のアプリケーション欄１２４Ａに格納されているアプリケーション番号に対応するアプリケーション属性管理テーブル１２４の保存年数欄１２４Ｂに格納されている保存年数と、当該アプリケーション番号に対応するアプリケーション属性管理テーブル１２４の規制法律名欄１２４Ｅに格納されている規制法律名から、規制法律管理テーブル１２３を参照することにより得た保存年数とが一致するか否かをチェックする（ＳＰ２０３）。
【０２５０】
そして、管理装置６のプロセッサ１１６は、アプリケーション属性管理テーブル１２４のアプリケーション欄１２４Ａに格納されているアプリケーション番号に対応するアプリケーション属性管理テーブル１２４の保存年数欄１２４Ｂに格納されている保存年数と、当該アプリケーション番号に対応するアプリケーション属性管理テーブル１２４の規制法律名欄１２４Ｅに格納されている規制法律名から、規制法律管理テーブル１２３を参照することにより得た保存年数とが一致する場合（ＳＰ２０３：ＹＥＳ）には、ステップＳＰ２０５に進む。
【０２５１】
これに対して、管理装置６のプロセッサ１１６は、アプリケーション属性管理テーブル１２４のアプリケーション欄１２４Ａに格納されているアプリケーション番号に対応するアプリケーション属性管理テーブル１２４の保存年数欄１２４Ｂに格納されている保存年数と、当該アプリケーション番号に対応するアプリケーション属性管理テーブル１２４の規制法律名欄１２４Ｅに格納されている規制法律名から、規制法律管理テーブル１２３を参照することにより得た保存年数とが一致しない場合（ＳＰ２０３：ＹＥＳ）には、アプリケーション属性管理テーブル１２４のアプリケーション欄１２４Ａに格納されているアプリケーション番号を図２３に示した相違保存年数アプリケーション一時格納テーブル１３１の相違保存年数アプリケーション欄１３１Ａに格納する（ＳＰ２０４）。
【０２５２】
やがて、管理装置６のプロセッサ１１６は、アプリケーション属性管理テーブル１２４のアプリケーション欄１２４Ａに格納されているすべてのアプリケーション番号が選択されたか否かをチェックする（ＳＰ２０５）。
【０２５３】
そして、管理装置６のプロセッサ１１６は、アプリケーション属性管理テーブル１２４のアプリケーション欄１２４Ａに格納されているすべてのアプリケーション番号が選択されていない場合（ＳＰ２０５：ＮＯ）には、アプリケーション属性管理テーブル１２４のアプリケーション欄１２４Ａに格納されているアプリケーション番号のうち未選択のアプリケーション番号を選択し（ＳＰ２０６）、この後、再び、アプリケーション属性管理テーブル１２４のアプリケーション欄１２４Ａに格納されているアプリケーション番号に対応するアプリケーション属性管理テーブル１２４の保存年数欄１２４Ｂに格納されている保存年数と、当該アプリケーション番号に対応するアプリケーション属性管理テーブル１２４の規制法律名欄１２４Ｅに格納されている規制法律名から、規制法律管理テーブル１２３を参照することにより得た保存年数とが一致するか否かをチェックするステップＳＰ２０３に戻り、この後、同様の処理を繰り返す（ＳＰ２０３〜ＳＰ２０５）。
【０２５４】
これに対して、管理装置６のプロセッサ１１６は、アプリケーション属性管理テーブル１２４のアプリケーション欄１２４Ａに格納されているすべてのアプリケーション番号が選択された場合（ＳＰ２０５：ＹＥＳ）には、相違保存年数強調表示処理を実行する（ＲＴ２０）。
図６４は、このストレージシステム１における管理装置６の相違保存年数強調表示処理に関する、管理装置６のプロセッサ１１６の具体的な処理手順を示したフローチャートの一例である。
【０２５５】
管理装置６のプロセッサ１１６は、アプリケーション属性管理テーブル１２４のアプリケーション欄１２４Ａに格納されているすべてのアプリケーション番号が選択された場合（ＳＰ２０５：ＹＥＳ）には、図６４に示す相違保存年数強調表示処理手順ＲＴ２０に従って、アプリケーション属性管理テーブル１２４のアプリケーション欄１２４Ａに格納されているアプリケーション番号を選択する（ＳＰ２１１）。
【０２５６】
続いて、管理装置６のプロセッサ１１６は、選択したアプリケーション番号が相違保存年数アプリケーション一時格納テーブル１３１の相違保存年数アプリケーション欄１３１Ａに格納されているか否かをチェックする（ＳＰ２１２）。
【０２５７】
そして、管理装置６のプロセッサ１１６は、選択したアプリケーション番号が相違保存年数アプリケーション一時格納テーブル１３１の相違保存年数アプリケーション欄１３１Ａに格納されていない場合（ＳＰ２１２：ＮＯ）には、ステップＳＰ２１４に進む。
【０２５８】
これに対して、管理装置６のプロセッサ１１６は、選択したアプリケーション番号が相違保存年数アプリケーション一時格納テーブル１３１の相違保存年数アプリケーション欄１３１Ａに格納されている場合（ＳＰ２１２：ＹＥＳ）には、例えば、図６５のように、トポロジ表示画面２００上の対応する設定情報欄２０９の保存年数設定欄を強調表示する（ＳＰ２１３）。
【０２５９】
やがて、管理装置６のプロセッサ１１６は、アプリケーション属性管理テーブル１２４のアプリケーション欄１２４Ａに格納されているすべてのアプリケーション番号が選択されたか否かをチェックする（ＳＰ２１４）。
【０２６０】
そして、管理装置６のプロセッサ１１６は、アプリケーション属性管理テーブル１２４のアプリケーション欄１２４Ａに格納されているすべてのアプリケーション番号が選択されていない場合（ＳＰ２１４：ＮＯ）には、アプリケーション属性管理テーブル１２４のアプリケーション欄１２４Ａに格納されているアプリケーション番号のうち未選択のアプリケーション番号を選択し（ＳＰ２１５）、この後、再び、選択したアプリケーション番号が相違保存年数アプリケーション一時格納テーブル１３１の相違保存年数アプリケーション欄１３１Ａに格納されているか否かをチェックするステップＳＰ２１２に戻り、この後、同様の処理を繰り返す（ＳＰ２１２〜ＳＰ２１４）。
【０２６１】
これに対して、管理装置６のプロセッサ１１６は、アプリケーション属性管理テーブル１２４のアプリケーション欄１２４Ａに格納されているすべてのアプリケーション番号が選択された場合（ＳＰ２１４：ＹＥＳ）には、この後、この図６４に示す相違保存年数強調表示処理手順ＲＴ２０を終了し（ＳＰ２１６）、この後、この図６３に示す保存年数一致確認処理手順ＲＴ１９を終了する（ＳＰ１７７）。
【０２６２】
このようにしてストレージシステム１では、管理装置６において、アプリケーション属性管理テーブル１２４を参照し、アプリケーション番号の現在の保存年数と、当該アプリケーション番号に対応する規制法律の保存年数とが一致するか否かを判断し、当該保存年数が相違する場合には、トポロジ表示画面２００上の対応する設定情報欄２０９の保存年数設定欄を強調表示することにより、実際にホスト装置のアプリケーションのデータを保存すべき保存年数と、ホスト装置に登録されている保存年数とが相違している場合に、当該相違の検出が困難となることとなるといった不具合を解消して、管理者に相違する保存年数を容易に認識させることができ、各ホスト装置２、各アーカイブ装置３、各ストレージ装置４及びストレージ管理装置５を一段と容易に管理することができる。
【産業上の利用可能性】
【０２６３】
本発明は、複数のホスト装置、ストレージ装置及びこれらを管理する管理装置が接続されているストレージシステムに広く適用することができる。
【図面の簡単な説明】
【０２６４】
【図１】本実施の形態によるストレージシステムの概略的な構成を示すブロック図である。
【図２】ホスト装置の概略的な構成を示すブロック図である。
【図３】アーカイブ装置の概略的な構成を示すブロック図である。
【図４】ストレージ装置の概略的な構成を示すブロック図である。
【図５】共有メモリの概略的な構成を示すブロック図である。
【図６】ストレージ管理装置の概略的な構成を示すブロック図である。
【図７】管理装置の概略的な構成を示すブロック図である。
【図８】アプリケーション−データタイプ管理テーブルの説明に供する概念図である。
【図９】ホスト装置−アプリケーション管理テーブルの説明に供する概念図である。
【図１０】アプリケーション−アーカイブ設定管理テーブルの説明に供する概念図である。
【図１１】アプリケーション−ＷＯＲＭ設定管理テーブルの説明に供する概念図である。
【図１２】ストレージ装置−ＷＯＲＭ設定管理テーブルの説明に供する概念図である。
【図１３】ＩＰアドレス管理テーブルの説明に供する概念図である。
【図１４】アーカイブ装置−アプリケーション管理テーブルの説明に供する概念図である。
【図１５】規制法律管理テーブルの説明に供する概念図である。
【図１６】アプリケーション属性管理テーブルの説明に供する概念図である。
【図１７】アーカイブ装置パスワード管理テーブルの説明に供する概念図である。
【図１８】データタイプ管理テーブルの説明に供する概念図である。
【図１９】変更保存年数一時格納テーブルの説明に供する概念図である。
【図２０】変更データタイプ一時格納テーブルの説明に供する概念図である。
【図２１】移動先ストレージ装置一時格納テーブルの説明に供する概念図である。
【図２２】手動変更保存年数一時格納テーブルの説明に供する概念図である。
【図２３】相違保存年数アプリケーション一時格納テーブルの説明に供する概念図である。
【図２４】トポロジ表示画面の説明に供する概念図である。
【図２５】規制法律設定・保存年数変更表示欄の説明に供する概念図である。
【図２６】規制法律追加設定表示欄の説明に供する概念図である。
【図２７】アプリケーション一覧表示ボタンの説明に供する概念図である。
【図２８】全アプリケーション一覧表示欄２５０の説明に供する概念図である。
【図２９】未設定アプリケーション一覧表示欄の説明に供する概念図である。
【図３０】未設定アプリケーション自動変更ボタンの説明に供する概念図である。
【図３１】選択データタイプ表示欄の説明に供する概念図である。
【図３２】移動アプリケーション一覧表示欄の説明に供する概念図である。
【図３３】保存年数手動変更表示ボタンの説明に供する概念図である。
【図３４】保存年数入力表示欄の説明に供する概念図である。
【図３５】データタイプ変更表示欄の説明に供する概念図である。
【図３６】トポロジ表示処理手順を示すフローチャートである。
【図３７】設定情報取得処理手順を示すフローチャートである。
【図３８】設定情報取得処理手順を示すフローチャートである。
【図３９】規制法律追加・変更処理手順を示すフローチャートである。
【図４０】保存年数変更処理手順を示すフローチャートである。
【図４１】変更アプリケーション選択処理手順を示すフローチャートである。
【図４２】未設定アプリケーション規制法律選択処理手順を示すフローチャートである。
【図４３】管理装置側保存年数変更処理手順を示すフローチャートである。
【図４４】アーカイブ装置側保存年数変更処理手順を示すフローチャートである。
【図４５】強調表示処理手順を示すフローチャートである。
【図４６】強調表示した場合のトポロジ表示画面の説明に供する概念図である。
【図４７】強調表示した場合のトポロジ表示画面の説明に供する概念図である。
【図４８】強調表示した場合のトポロジ表示画面の説明に供する概念図である。
【図４９】強調表示した場合のトポロジ表示画面の説明に供する概念図である。
【図５０】同一データタイプ設定情報表示処理手順を示すフローチャートである。
【図５１】データタイプが選択された場合のトポロジ表示画面の説明に供する概念図である。
【図５２】アプリケーションデータ移動手順を示すフローチャートである。
【図５３】管理装置側ストレージ装置更処理手順を示すフローチャートである。
【図５４】アーカイブ装置側ストレージ装置変更処理手順を示すフローチャートである。
【図５５】所定の操作がされた場合のトポロジ表示画面の説明に供する概念図である。
【図５６】所定の操作がされた場合のトポロジ表示画面の説明に供する概念図である。
【図５７】所定の操作がされた場合のトポロジ表示画面の説明に供する概念図である。
【図５８】保存年数手動変更処理手順を示すフローチャートである。
【図５９】管理装置側保存年数手動変更処理手順を示すフローチャートである。
【図６０】アーカイブ装置側保存年数手動変更処理手順を示すフローチャートである。
【図６１】管理装置側保存年数手動一括変更処理手順を示すフローチャートである。
【図６２】アーカイブ装置側保存年数手動一括変更処理手順を示すフローチャートである。
【図６３】保存年数一致確認処理手順を示すフローチャートである。
【図６４】相違保存年数強調表示処理手順を示すフローチャートである。
【図６５】相違保存年数を強調表示した場合のトポロジ表示画面の説明に供する概念図である。
【符号の説明】
【０２６５】
１……ストレージシステム、２……ホスト装置、３……アーカイブ装置、４……ストレージ装置、５……ストレージ管理装置、６……管理装置、２１……アプリケーション−データタイプ管理テーブル、２３……アプリケーション、４１……ホスト装置−アプリケーション管理テーブル、４２……アプリケーション−アーカイブ設定管理テーブル、１０１……ストレージ装置−ＷＯＲＭ設定管理テーブル、１２２……アーカイブ装置−アプリケーション管理テーブル、１２３……規制法律管理テーブル、１２４……マアプリケーション属性管理テーブル、１４１……トポロジ表示処理プログラム、１４２……規制設定追加・変更処理プログラム、１４３……保存年数変更処理プログラム、１４４……強調表示処理プログラム、１４５……同一データタイプ設定情報表示処理プログラム、１４６……アプリケーションデータ移動処理プログラム、１４７……保存年数手動変更処理プログラム、１４８……相違保存年数強調表示処理プログラム、２００……トポロジ表示画面、２１０……規制法律設定・保存年数変更ボタン、２２０……規制法律設定・保存年数変更表示欄、２３０……規制法律追加設定表示欄、２４０……アプリケーション一覧表示ボタン、２５０……全アプリケーション一覧表示欄、２６０……未設定アプリケーション一覧表示欄、２７０……未設定アプリケーション自動変更ボタン、２８０……選択データタイプ表示欄、２９０……移動アプリケーション一覧表示欄、３００……保存年数手動変更表示ボタン、３１０……保存年数入力表示欄、３２０……データタイプ変更表示欄
【図１】
2008140221.tif 000003
【図２】
2008140221.tif 000004
【図３】
2008140221.tif 000005
【図４】
2008140221.tif 000006
【図５】
2008140221.tif 000007
【図６】
2008140221.tif 000008
【図７】
2008140221.tif 000009
【図８】
2008140221.tif 000010
【図９】
2008140221.tif 000011
【図１０】
2008140221.tif 000012
【図１１】
2008140221.tif 000013
【図１２】
2008140221.tif 000014
【図１３】
2008140221.tif 000015
【図１４】
2008140221.tif 000016
【図１５】
2008140221.tif 000017
【図１６】
2008140221.tif 000018
【図１７】
2008140221.tif 000019
【図１８】
2008140221.tif 000020
【図１９】
2008140221.tif 000021
【図２０】
2008140221.tif 000022
【図２１】
2008140221.tif 000023
【図２２】
2008140221.tif 000024
【図２３】
2008140221.tif 000025
【図２４】
2008140221.tif 000026
【図２５】
2008140221.tif 000027
【図２６】
2008140221.tif 000028
【図２７】
2008140221.tif 000029
【図２８】
2008140221.tif 000030
【図２９】
2008140221.tif 000031
【図３０】
2008140221.tif 000032
【図３１】
2008140221.tif 000033
【図３２】
2008140221.tif 000034
【図３３】
2008140221.tif 000035
【図３４】
2008140221.tif 000036
【図３５】
2008140221.tif 000037
【図３６】
2008140221.tif 000038
【図３７】
2008140221.tif 000039
【図３８】
2008140221.tif 000040
【図３９】
2008140221.tif 000041
【図４０】
2008140221.tif 000042
【図４１】
2008140221.tif 000043
【図４２】
2008140221.tif 000044
【図４３】
2008140221.tif 000045
【図４４】
2008140221.tif 000046
【図４５】
2008140221.tif 000047
【図４６】
2008140221.tif 000048
【図４７】
2008140221.tif 000049
【図４８】
2008140221.tif 000050
【図４９】
2008140221.tif 000051
【図５０】
2008140221.tif 000052
【図５１】
2008140221.tif 000053
【図５２】
2008140221.tif 000054
【図５３】
2008140221.tif 000055
【図５４】
2008140221.tif 000056
【図５５】
2008140221.tif 000057
【図５６】
2008140221.tif 000058
【図５７】
2008140221.tif 000059
【図５８】
2008140221.tif 000060
【図５９】
2008140221.tif 000061
【図６０】
2008140221.tif 000062
【図６１】
2008140221.tif 000063
【図６２】
2008140221.tif 000064
【図６３】
2008140221.tif 000065
【図６４】
2008140221.tif 000066
【図６５】
2008140221.tif 000067